(57)【要約】  リファレンスサブフレームを決定するためのワイヤレス通信デバイスについて説明する。ワイヤレス通信デバイスは、プロセッサと、プロセッサと電子通信しているメモリに記憶された命令とを含む。ワイヤレス通信デバイスは報告サブフレームｎを決定する。ワイヤレス通信デバイスはまた、リミットおよび少なくとも１つの制限基準に基づいてリファレンスサブフレームを決定する。ワイヤレス通信デバイスはさらに、リファレンスサブフレームが決定された場合に、リファレンスサブフレームに基づいて報告を生成する。ワイヤレス通信デバイスはさらに、リファレンスサブフレームが決定された場合に、報告サブフレームの期間中に報告を送信する。
2013541297.tif 000002
【特許請求の範囲】
【請求項１】
リファレンスサブフレームを決定するためのワイヤレス通信デバイスであって、
プロセッサと、
前記プロセッサと電子通信しているメモリと、
メモリに記憶された命令と、を備えており、前記命令は、
報告サブフレームｎを決定することと、
リミットおよび少なくとも１つの制限基準に基づいてリファレンスサブフレームｎ−ｎreferenceを決定することと、
前記リファレンスサブフレームが決定された場合に、前記リファレンスサブフレームに基づいて報告を生成することと、
前記リファレンスサブフレームが決定された場合に、前記報告サブフレームの期間中に前記報告を送信することと、
を行うように実行可能である、ワイヤレス通信デバイス。
【請求項２】
前記リミットが４であり、ｎreferenceが、有効なダウンリンクサブフレームに対応する、前記リミットよりも大きいかそれに等しい最小値であり、前記少なくとも１つの制限基準が非周期的トリガリングを含む、請求項１に記載のワイヤレス通信デバイス。
【請求項３】
前記少なくとも１つの制限基準が上限をさらに含む、請求項２に記載のワイヤレス通信デバイス。
【請求項４】
前記リミットがＬであり、ｎreferenceが、有効なダウンリンクサブフレームに対応する、前記リミットよりも大きいかそれに等しい最小値であり、前記少なくとも１つの制限基準が、Ｌを前記報告サブフレームｎとダウンリンク制御情報サブフレームとの間の差に制限することを含む、請求項１に記載のワイヤレス通信デバイス。
【請求項５】
前記少なくとも１つの制限基準が上限をさらに含む、請求項４に記載のワイヤレス通信デバイス。
【請求項６】
前記リミットが４であり、ｎreferenceが、有効なダウンリンクサブフレームに対応する、前記リミットよりも大きいかそれに等しい最小値であり、前記少なくとも１つの制限基準が、ｎreferenceを前記報告サブフレームｎとダウンリンク制御情報サブフレームとの間の差よりも小さいかまたはそれに等しい値に制限することを含む、請求項１に記載のワイヤレス通信デバイス。
【請求項７】
前記リミットが４であり、ｎreferenceが、有効なダウンリンクサブフレームに対応する、前記リミットよりも大きいかそれに等しい最小値であり、前記少なくとも１つの制限基準は、ｎreferenceを、ｎ−ｎreferenceがダウンリンク制御情報サブフレーム番号に対応するかまたは所定のサブフレーム番号に対応するような値に制限することを含む、請求項１に記載のワイヤレス通信デバイス。
【請求項８】
前記リミットがｋであり、ｎreferenceが、有効なダウンリンクサブフレームに対応する、前記リミットよりも大きいかそれに等しい最小値であり、前記少なくとも１つの制限基準が、ｎreferenceを前記報告サブフレームｎとダウンリンク制御情報サブフレームとの間の差よりも小さいかまたはそれに等しい値に制限することを含む、請求項１に記載のワイヤレス通信デバイス。
【請求項９】
ｋが最小値に制限される、請求項８に記載のワイヤレス通信デバイス。
【請求項１０】
前記リミットがｋであり、ｎreferenceが、有効なダウンリンクサブフレームに対応する、前記リミットよりも大きいかそれに等しい最小値であり、前記少なくとも１つの制限基準が、チャネル状態情報リファレンス信号を含むダウンリンクサブフレームを含む、請求項１に記載のワイヤレス通信デバイス。
【請求項１１】
前記リミットがｋ1であり、ｎreferenceが、前記リミットよりも大きいかそれに等しく、第１の有効なダウンリンクサブフレームに対応し、前記少なくとも１つの制限基準がチャネル状態情報リファレンス信号を含み、前記命令が、さらに、第２のリミットに基づいて第２のリファレンスサブフレームｎ−ｎreference2を決定するように実行可能であり、前記第２のリミットがｋ2であり、ｎreference2が、前記第２のリミットよりも大きいかそれに等しく、第２の有効なダウンリンクサブフレームに対応する、請求項１に記載のワイヤレス通信デバイス。
【請求項１２】
前記リミットがｋであり、ｎreferenceが、有効なダウンリンクサブフレームに対応する、前記リミットよりも大きいかそれに等しい最小値であり、前記少なくとも１つの制限基準が、ある特定のサブフレームタイプであるダウンリンクサブフレームを含む、請求項１に記載のワイヤレス通信デバイス。
【請求項１３】
前記リミットがｋ1であり、ｎreferenceが、ある特定のサブフレームタイプの有効なダウンリンクサブフレームに対応する、前記リミットよりも大きいかそれに等しい最小値であり、前記少なくとも１つの制限基準が、ある特定のタイプのダウンリンクサブフレームを使用することを含み、前記命令が、さらに、第２のリミットに基づいて第２のリファレンスサブフレームｎ−ｎreference2を決定するように実行可能であり、前記第２のリミットがｋ2であり、ｎreference2が、第２の有効なダウンリンクサブフレームに対応する、前記第２のリミットよりも大きいかそれに等しい値である、請求項１に記載のワイヤレス通信デバイス。
【請求項１４】
モードを決定するための基地局であって、
プロセッサと、
前記プロセッサと電子通信しているメモリと、
メモリに記憶された命令と、を備えており、前記命令は、
フィードバックモードを決定することと、
フィードバックモードインジケータを送信することと、
リファレンス信号を送信することと、
フィードバックを受信することと、
を行うように実行可能である、基地局。
【請求項１５】
前記リファレンス信号が共通リファレンス信号（ＣＲＳ）である、請求項１４に記載の基地局。
【請求項１６】
前記リファレンス信号がチャネル状態情報リファレンス信号（ＣＳＩ−ＲＳ）である、請求項１４に記載の基地局。
【請求項１７】
ワイヤレス通信デバイス上でリファレンスサブフレームを決定するための方法であって、
報告サブフレームｎを決定することと、
リミットおよび少なくとも１つの制限基準に基づいてリファレンスサブフレームｎ−ｎreferenceを決定することと、
前記リファレンスサブフレームが決定された場合に、前記リファレンスサブフレームに基づいて報告を生成することと、
前記リファレンスサブフレームが決定された場合に、前記報告サブフレームの期間中に前記報告を送信することと、
を備える、方法。
【請求項１８】
前記リミットが４であり、ｎreferenceが、有効なダウンリンクサブフレームに対応する、前記リミットよりも大きいかそれに等しい最小値であり、前記少なくとも１つの制限基準が非周期的トリガリングを含む、請求項１７に記載の方法。
【請求項１９】
前記少なくとも１つの制限基準が上限をさらに含む、請求項１８に記載の方法。
【請求項２０】
前記リミットがＬであり、ｎreferenceが、有効なダウンリンクサブフレームに対応する、前記リミットよりも大きいかそれに等しい最小値であり、前記少なくとも１つの制限基準が、Ｌを前記報告サブフレームｎとダウンリンク制御情報サブフレームとの間の差に制限することを含む、請求項１７に記載の方法。
【請求項２１】
前記少なくとも１つの制限基準が上限をさらに含む、請求項２０に記載の方法。
【請求項２２】
前記リミットが４であり、ｎreferenceが、有効なダウンリンクサブフレームに対応する、前記リミットよりも大きいかそれに等しい最小値であり、前記少なくとも１つの制限基準が、ｎreferenceを前記報告サブフレームｎとダウンリンク制御情報サブフレームとの間の差よりも小さいかまたはそれに等しい値に制限することを含む、請求項１７に記載の方法。
【請求項２３】
前記リミットが４であり、ｎreferenceが、有効なダウンリンクサブフレームに対応する、前記リミットよりも大きいかそれに等しい最小値であり、前記少なくとも１つの制限基準は、ｎreferenceを、ｎ−ｎreferenceがダウンリンク制御情報サブフレーム番号に対応するかまたは所定のサブフレーム番号に対応するような値に制限することを含む、請求項１７に記載の方法。
【請求項２４】
前記リミットがｋであり、ｎreferenceが、有効なダウンリンクサブフレームに対応する、前記リミットよりも大きいかそれに等しい最小値であり、前記少なくとも１つの制限基準が、ｎreferenceを前記報告サブフレームｎとダウンリンク制御情報サブフレームとの間の差よりも小さいかまたはそれに等しい値に制限することを含む、請求項１７に記載の方法。
【請求項２５】
ｋが最小値に制限される、請求項２４に記載の方法。
【請求項２６】
前記リミットがｋであり、ｎreferenceが、有効なダウンリンクサブフレームに対応する、前記リミットよりも大きいかそれに等しい最小値であり、前記少なくとも１つの制限基準が、チャネル状態情報リファレンス信号を含むダウンリンクサブフレームを含む、請求項１７に記載の方法。
【請求項２７】
前記リミットがｋ1であり、ｎreferenceが、前記リミットよりも大きいかそれに等しく、第１の有効なダウンリンクサブフレームに対応し、前記少なくとも１つの制限基準がチャネル状態情報リファレンス信号を含み、前記方法が、第２のリミットに基づいて第２のリファレンスサブフレームｎ−ｎreference2を決定することをさらに含み、前記第２のリミットがｋ2であり、ｎreference2が、前記第２のリミットよりも大きいかそれに等しく、第２の有効なダウンリンクサブフレームに対応する、請求項１７に記載の方法。
【請求項２８】
前記リミットがｋであり、ｎreferenceが、有効なダウンリンクサブフレームに対応する、前記リミットよりも大きいかそれに等しい最小値であり、前記少なくとも１つの制限基準が、ある特定のサブフレームタイプであるダウンリンクサブフレームを含む、請求項１７に記載の方法。
【請求項２９】
前記リミットがｋ1であり、ｎreferenceが、ある特定のサブフレームタイプの有効なダウンリンクサブフレームに対応する、前記リミットよりも大きいかそれに等しい最小値であり、前記少なくとも１つの制限基準が、ある特定のタイプのダウンリンクサブフレームを使用することを含み、前記方法が、第２のリミットに基づいて第２のリファレンスサブフレームｎ−ｎreference2を決定することをさらに備え、前記第２のリミットがｋ2であり、ｎreference2が、第２の有効なダウンリンクサブフレームに対応する、前記第２のリミットよりも大きいかそれに等しい値である、請求項１７に記載の方法。
【請求項３０】
基地局上でモードを決定するための方法であって、
フィードバックモードを決定することと、
フィードバックモードインジケータを送信することと、
リファレンス信号を送信することと、
フィードバックを受信することと、
を備える、方法。
【請求項３１】
前記リファレンス信号が共通リファレンス信号（ＣＲＳ）である、請求項３０に記載の方法。
【請求項３２】
前記リファレンス信号がチャネル状態情報リファレンス信号（ＣＳＩ−ＲＳ）である、請求項３０に記載の方法。
【請求項３３】
リファレンスサブフレームを決定するための装置であって、
報告サブフレームｎを決定する手段と、
リミットおよび少なくとも１つの制限基準に基づいてリファレンスサブフレームｎ−ｎreferenceを決定する手段と、
前記リファレンスサブフレームが決定された場合に、前記リファレンスサブフレームに基づいて報告を生成する手段と、
前記リファレンスサブフレームが決定された場合に、前記報告サブフレームの期間中に前記報告を送信する手段と、
を備える、装置。
【請求項３４】
前記リミットが４であり、ｎreferenceが、有効なダウンリンクサブフレームに対応する、前記リミットよりも大きいかそれに等しい最小値であり、前記少なくとも１つの制限基準が非周期的トリガリングを含む、請求項３３に記載の装置。
【請求項３５】
前記リミットがＬであり、ｎreferenceが、有効なダウンリンクサブフレームに対応する、前記リミットよりも大きいかそれに等しい最小値であり、前記少なくとも１つの制限基準が、Ｌを前記報告サブフレームｎとダウンリンク制御情報サブフレームとの間の差に制限することを含む、請求項３３に記載の装置。
【請求項３６】
前記リミットがｋであり、ｎreferenceが、有効なダウンリンクサブフレームに対応する、前記リミットよりも大きいかそれに等しい最小値であり、前記少なくとも１つの制限基準が、ｎreferenceを前記報告サブフレームｎとダウンリンク制御情報サブフレームとの間の差よりも小さいかまたはそれに等しい値に制限することを含む、請求項３３に記載の装置。
【請求項３７】
前記リミットがｋ1であり、ｎreferenceが、前記リミットよりも大きいかそれに等しく、第１の有効なダウンリンクサブフレームに対応し、前記少なくとも１つの制限基準がチャネル状態情報リファレンス信号を含み、前記装置が、第２のリミットに基づいて第２のリファレンスサブフレームｎ−ｎreference2を決定する手段をさらに備え、前記第２のリミットがｋ2であり、ｎreference2が、前記第２のリミットよりも大きいかそれに等しく、第２の有効なダウンリンクサブフレームに対応する、請求項３３に記載の装置。
【請求項３８】
モードを決定するための装置であって、
フィードバックモードを決定する手段と、
フィードバックモードインジケータを送信する手段と、
リファレンス信号を送信する手段と、
フィードバックを受信する手段と、
を備える、装置。
【請求項３９】
前記リファレンス信号が共通リファレンス信号（ＣＲＳ）である、請求項３８に記載の装置。
【請求項４０】
前記リファレンス信号がチャネル状態情報リファレンス信号（ＣＳＩ−ＲＳ）である、請求項３８に記載の装置。
【請求項４１】
命令を有する非一時的有形コンピュータ可読媒体を備える、リファレンスサブフレームを決定するためのコンピュータプログラム製品であって、前記命令は、
ワイヤレス通信デバイスに報告サブフレームｎを決定させるためのコードと、
前記ワイヤレス通信デバイスにリミットおよび少なくとも１つの制限基準に基づいてリファレンスサブフレームｎ−ｎreferenceを決定させるためのコードと、
前記ワイヤレス通信デバイスに、前記リファレンスサブフレームが決定された場合に前記リファレンスサブフレームに基づいて報告を生成させるためのコードと、
前記ワイヤレス通信デバイスに、前記リファレンスサブフレームが決定された場合に前記報告サブフレームの期間中に前記報告を送信させるためのコードと
を備える、コンピュータプログラム製品。
【請求項４２】
前記リミットが４であり、ｎreferenceが、有効なダウンリンクサブフレームに対応する、前記リミットよりも大きいかそれに等しい最小値であり、前記少なくとも１つの制限基準が非周期的トリガリングを含む、請求項４１に記載のコンピュータプログラム製品。
【請求項４３】
前記リミットがＬであり、ｎreferenceが、有効なダウンリンクサブフレームに対応する、前記リミットよりも大きいかそれに等しい最小値であり、前記少なくとも１つの制限基準が、Ｌを前記報告サブフレームｎとダウンリンク制御情報サブフレームとの間の差に制限することを含む、請求項４１に記載のコンピュータプログラム製品。
【請求項４４】
前記リミットがｋであり、ｎreferenceが、有効なダウンリンクサブフレームに対応する、前記リミットよりも大きいかそれに等しい最小値であり、前記少なくとも１つの制限基準が、ｎreferenceを前記報告サブフレームｎとダウンリンク制御情報サブフレームとの間の差よりも小さいかまたはそれに等しい値に制限することを含む、請求項４１に記載のコンピュータプログラム製品。
【請求項４５】
前記リミットがｋ1であり、ｎreferenceが、前記リミットよりも大きいかそれに等しく、第１の有効なダウンリンクサブフレームに対応し、前記少なくとも１つの制限基準がチャネル状態情報リファレンス信号を含み、前記命令が、前記ワイヤレス通信デバイスに、第２のリミットに基づいて第２のリファレンスサブフレームｎ−ｎreference2を決定させるためのコードをさらに備え、前記第２のリミットがｋ2であり、ｎreference2が、前記第２のリミットよりも大きいかそれに等しく、第２の有効なダウンリンクサブフレームに対応する、請求項４１に記載のコンピュータプログラム製品。
【請求項４６】
命令を有する非一時的有形コンピュータ可読媒体を備える、モードを決定するためのコンピュータプログラム製品であって、前記命令が、
基地局にフィードバックモードを決定させるためのコードと、
前記基地局にフィードバックモードインジケータを送信させるためのコードと、
前記基地局にリファレンス信号を送信させるためのコードと、
前記基地局にフィードバックを受信させるためのコードと、
を備える、コンピュータプログラム製品。
【請求項４７】
前記リファレンス信号が共通リファレンス信号（ＣＲＳ）である、請求項４６に記載のコンピュータプログラム製品。
【請求項４８】
前記リファレンス信号がチャネル状態情報リファレンス信号（ＣＳＩ−ＲＳ）である、請求項４６に記載のコンピュータプログラム製品。
【発明の詳細な説明】
【技術分野】
【０００１】
関連出願
本出願は、「DETERMINING A REFERENCE SUBFRAME」と題する２０１０年１０月４日に出願された米国仮特許出願第６１／３８９，５９１号に関し、その優先権を主張する。
【０００２】
本開示は、一般に電子デバイスに関する。より詳細には、本開示は、リファレンスサブフレームを決定し、モードを決定するためのデバイスに関する。
【背景技術】
【０００３】
最近の数十年で、電子デバイスの使用は一般的になった。特に、電子技術の進歩は、ますます複雑かつ有用となる電子デバイスのコストを低減してきた。コスト低減および消費者需要により、電子デバイスが現代社会において事実上ユビキタスとなるほど、電子デバイスの使用は、増加した。電子デバイスの使用が拡大するにつれて、電子デバイスの新しい改善された特徴に対する需要も拡大した。より具体的には、より高速に、より効率的に、またはより高品質で機能を実行する電子デバイスがしばしば求められる。
【０００４】
一部の電子デバイス（たとえば、セルラーフォン、スマートフォン、コンピュータなど）は他の電子デバイスと通信する。たとえば、セルラーフォンは、電磁信号をオーバージエアで送信および受信することによって基地局とワイヤレス通信することができる。
【０００５】
ワイヤレス通信デバイス間の通信の品質は、信号を送信および受信するために使用されるチャネルの品質に依存する。たとえば、チャネルにおける干渉が通信品質を劣化させうる。一部の電子デバイス（たとえば、ワイヤレス通信デバイス）は、通信品質を改善するためにフィードバックを使用する。たとえば、セルラーフォンは、基地局がリンク品質を改善するために使用し得る測定値を示すフィードバックを基地局に送ることができる。この説明からわかるように、フィードバックを改善するシステムおよび方法が有益である。
【発明の概要】
【０００６】
リファレンスサブフレームを決定するためのワイヤレス通信デバイスについて説明する。ワイヤレス通信デバイスは、プロセッサと、プロセッサと電子通信しているメモリに記憶された命令とを含む。ワイヤレス通信デバイスは報告サブフレームｎを決定する。ワイヤレス通信デバイスはまた、リミット(limit)および少なくとも１つの制限基準(limiting criteria)に基づいてリファレンスサブフレームｎ−ｎreferenceを決定する。ワイヤレス通信デバイスはさらに、リファレンスサブフレームが決定された場合、リファレンスサブフレームに基づいて報告を生成する。ワイヤレス通信デバイスはさらに、リファレンスサブフレームが決定された場合、報告サブフレームの期間中に報告を送信する。
【０００７】
リミットは４であることができ、ｎreferenceは、有効なダウンリンクサブフレームに対応する、リミットよりも大きいかそれに等しい最小値であることができる。少なくとも１つの制限基準は非周期的トリガリングを含み得る。少なくとも１つの制限基準はまた、上限を含み得る。
【０００８】
リミットはＬであることができ、ｎreferenceは、有効なダウンリンクサブフレームに対応する、リミットよりも大きいかそれに等しい最小値であることができる。少なくとも１つの制限基準は、Ｌを報告サブフレームｎとダウンリンク制御情報サブフレームとの間の差に制限することを含み得る。少なくとも１つの制限基準はまた、上限を含み得る。
【０００９】
リミットは４であることができ、ｎreferenceは、有効なダウンリンクサブフレームに対応する、リミットよりも大きいかそれに等しい最小値であることができる。少なくとも１つの制限基準は、ｎreferenceを報告サブフレームｎとダウンリンク制御情報サブフレームとの間の差よりも小さいかまたはそれに等しい値に制限することを含み得る。
【００１０】
リミットは４であることができ、ｎreferenceは、有効なダウンリンクサブフレームに対応する、リミットよりも大きいかそれに等しい最小値であることができる。少なくとも１つの制限基準は、ｎreferenceを、ｎ−ｎreferenceがダウンリンク制御情報サブフレーム番号に対応するかまたは所定のサブフレーム番号に対応するような値に制限することを含み得る。
【００１１】
リミットはｋであることができ、ｎreferenceは、有効なダウンリンクサブフレームに対応する、リミットよりも大きいかそれに等しい最小値であることができる。少なくとも１つの制限基準は、ｎreferenceを報告サブフレームｎとダウンリンク制御情報サブフレームとの間の差よりも小さいかまたはそれに等しい値に制限することを含み得る。ｋは最小値に制限され得る。
【００１２】
リミットはｋであることができ、ｎreferenceは、有効なダウンリンクサブフレームに対応する、リミットよりも大きいかそれに等しい最小値であることができる。少なくとも１つの制限基準は、チャネル状態情報リファレンス信号を含むダウンリンクサブフレームを含み得る。
【００１３】
リミットはｋ1であることができ、ｎreferenceは、リミットよりも大きいかそれに等しいものであることができ、第１の有効なダウンリンクサブフレームに対応し得る。少なくとも１つの制限基準はチャネル状態情報リファレンス信号を含み得る。ワイヤレス通信デバイスはまた、第２のリミットに基づいて第２のリファレンスサブフレームｎ−ｎreference2を決定し得る。第２のリミットはｋ2であることができ、ｎreference2は、第２のリミットよりも大きいかそれに等しいものであることができ、第２の有効なダウンリンクサブフレームに対応し得る。
【００１４】
リミットはｋであることができ、ｎreferenceは、有効なダウンリンクサブフレームに対応する、リミットよりも大きいかそれに等しい最小値であることができる。少なくとも１つの制限基準は、ある特定のサブフレームタイプであるダウンリンクサブフレームを含み得る。
【００１５】
リミットはｋ1であることができ、ｎreferenceは、ある特定のサブフレームタイプの有効なダウンリンクサブフレームに対応する、リミットよりも大きいかそれに等しい最小値であることができる。少なくとも１つの制限基準は、ある特定のタイプのダウンリンクサブフレームを使用することを含み得る。ワイヤレス通信デバイスはまた、第２のリミットに基づいて第２のリファレンスサブフレームｎ−ｎreference2を決定し得る。第２のリミットはｋ2であることができ、ｎreference2は、第２の有効なダウンリンクサブフレームに対応する、第２のリミットよりも大きいかそれに等しい値であることができる。
【００１６】
また、モードを決定するための基地局について説明する。基地局は、プロセッサと、プロセッサと電子通信しているメモリに記憶された命令とを含む。基地局はフィードバックモードを決定する。基地局はフィードバックモードインジケータを送信する。基地局はまた、リファレンス信号を送信する。基地局はさらに、フィードバックを受信する。
【００１７】
リファレンス信号は共通リファレンス信号（ＣＲＳ）であることができる。リファレンス信号はチャネル状態情報リファレンス信号（ＣＳＩ−ＲＳ）であることができる。
【００１８】
また、ワイヤレス通信デバイス上でリファレンスサブフレームを決定するための方法について説明する。方法は、報告サブフレームｎを決定することを含む。方法はまた、リミットおよび少なくとも１つの制限基準に基づいてリファレンスサブフレームｎ−ｎreferenceを決定することを含む。方法はさらに、リファレンスサブフレームが決定された場合、リファレンスサブフレームに基づいて報告を生成することを含む。方法はさらに、リファレンスサブフレームが決定された場合、報告サブフレームの期間中に報告を送信することを含む。
【００１９】
また、基地局上でモードを決定するための方法について説明する。方法は、フィードバックモードを決定することを含む。方法はまた、フィードバックモードインジケータを送信することを含む。方法はさらに、リファレンス信号を送信することを含む。方法はさらに、フィードバックを受信することを含む。
【００２０】
また、リファレンスサブフレームを決定するための装置について説明する。装置は、報告サブフレームｎを決定する手段を含む。装置はまた、リミットおよび少なくとも１つの制限基準に基づいてリファレンスサブフレームｎ−ｎreferenceを決定する手段を含む。装置はさらに、リファレンスサブフレームが決定された場合、リファレンスサブフレームに基づいて報告を生成する手段を含む。装置はさらに、リファレンスサブフレームが決定された場合、報告サブフレームの期間中に報告を送信する手段を含む。
【００２１】
また、モードを決定するための装置について説明する。装置は、フィードバックモードを決定する手段を含む。装置はまた、フィードバックモードインジケータを送信する手段を含む。装置はさらに、リファレンス信号を送信する手段を含む。装置はさらに、フィードバックを受信する手段を含む。
【００２２】
また、リファレンスサブフレームを決定するためのコンピュータプログラム製品について説明する。コンピュータプログラム製品は、命令を備えた非一時的有形コンピュータ可読媒体を含む。命令は、ワイヤレス通信デバイスに報告サブフレームｎを決定させるためのコードを含む。命令はまた、ワイヤレス通信デバイスにリミットおよび少なくとも１つの制限基準に基づいてリファレンスサブフレームｎ−ｎreferenceを決定させるためのコードを含む。命令はさらに、ワイヤレス通信デバイスに、リファレンスサブフレームが決定された場合、リファレンスサブフレームに基づいて報告を生成させるためのコードを含む。命令はさらに、ワイヤレス通信デバイスに、リファレンスサブフレームが決定された場合、報告サブフレームの期間中に報告を送信させるためのコードを含む。
【００２３】
また、モードを決定するためのコンピュータプログラム製品について説明する。コンピュータプログラム製品は、命令を備えた非一時的有形コンピュータ可読媒体を含む。命令は、基地局にフィードバックモードを決定させるためのコードを含む。命令はまた、基地局にフィードバックモードインジケータを送信させるためのコードを含む。命令はさらに、基地局にリファレンス信号を送信させるためのコードを含む。命令はさらに、基地局にフィードバックを受信させるためのコードを含む。
【図面の簡単な説明】
【００２４】
【図１】リファレンスサブフレームを決定するためのシステムおよび方法が実装され得る、ワイヤレス通信デバイスの一構成を示すブロック図である。
【図２】一連のサブフレームを示す図である。
【図３】ワイヤレス通信デバイス上でリファレンスサブフレームを決定するための方法の一構成を示す流れ図である。
【図４】リファレンスサブフレームを決定するための方法の一例を示す流れ図である。
【図５】リファレンスサブフレームを決定するための方法の別の例を示す流れ図である。
【図６】リファレンスサブフレームを決定するための方法の別の例を示す流れ図である。
【図７】リファレンスサブフレームを決定するための方法の別の例を示す流れ図である。
【図８】リファレンスサブフレームを決定するための方法の別の例を示す流れ図である。
【図９】リファレンスサブフレームを決定するための方法の別の例を示す流れ図である。
【図１０】リファレンスサブフレームを決定するための方法の別の例を示す流れ図である。
【図１１】リファレンスサブフレームを決定するための方法の別の例を示す流れ図である。
【図１２】リファレンスサブフレームを決定するための方法の別の例を示す流れ図である。
【図１３】基地局上でモードを決定するための方法の一構成を示す流れ図である。
【図１４】リファレンスサブフレームを決定するためのシステムおよび方法が実装され得る、ワイヤレス通信デバイスの一構成を示すブロック図である。
【図１５】ワイヤレス通信デバイス内に含まれ得るいくつかのコンポーネントを示す図である。
【図１６】基地局内に含まれ得るいくつかのコンポーネントを示す図である。
【詳細な説明】
【００２５】
本明細書で開示するシステムおよび方法は、第３世代パートナーシッププロジェクト（３ＧＰＰ：3rd Generation Partnership Project）リリース８（Ｒｅｌ−８）、３ＧＰＰリリース９（Ｒｅｌ−９）、３ＧＰＰリリース１０（Ｒｅｌ−１０）、ロングタームエボリューション（ＬＴＥ：Long Term Evolution）、ＬＴＥ−Ａｄｖａｎｃｅｄ（ＬＴＥ−Ａ）などの１つまたは複数の規格に関して説明され得ることに留意されたい。しかしながら、本明細書で説明する概念のうちの少なくとも一部は、他のワイヤレス通信システムに適用され得る。たとえば、ユーザ機器（ＵＥ）という用語は、「ワイヤレス通信デバイス」というより一般的な用語を指すために使用され得る。さらに、ノードＢ、発展型ノードＢ（ｅＮＢ）、ホーム発展型ノードＢ（ＨｅＮＢ）などという用語のうちの１つまたは複数が、「基地局」というより一般的な用語を指すために使用され得る。
【００２６】
一構成では、本明細書で開示するシステムおよび方法は、ＬＴＥ−Ａにおいてチャネル品質インジケータ（ＣＱＩ）／チャネル状態情報（ＣＳＩ）（たとえば、フィードバック）報告のための測定またはリファレンスサブフレームを決定することを記述し得る。リリース８およびリリース９では、周期的および非周期的なチャネル品質インジケータ、プリコーディング行列インジケータおよび／またはランクインジケータ（ＣＱＩ／ＰＭＩ／ＲＩ）報告の両方がサポートされる。理解のためにシステムおよび方法がＣＱＩに関して説明されるが、本明細書で説明するシステムおよび方法は、ＰＭＩおよび／またはＲＩにも同様に適用可能である。
【００２７】
各報告は、何らかのリファレンスリソース（たとえば、周波数および時間リソース）に基づいて測定される。時間の観点から（たとえば、サブフレームｎにおけるチャネル品質報告の場合）、リファレンスリソースは、単一のダウンリンクサブフレームｎ−ｎreference（たとえば、ｎ−ｎCQI_ref）によって定義または決定されることができ、ここでｎはサブフレーム番号である。いくつかの構成では、無線フレームは１０個のサブフレームを含み得る。現在の仕様によれば、周期的ＣＱＩ報告の場合、ｎCQI_refは、それが有効なダウンリンクサブフレームに対応するような、４よりも大きいかそれに等しい最小値である。さらに、非周期的ＣＱＩ報告の場合、ｎCQI_refは、リファレンスリソースがダウンリンク制御情報（ＤＣＩ）フォーマット０における対応するＣＱＩ要求と同じ有効なダウンリンクサブフレーム中にあるようなｎCQI_refである。さらに、非周期的ＣＱＩ報告の場合、ｎCQI_refは４に等しく、ダウンリンクサブフレームｎ−ｎCQI_refは有効なダウンリンクサブフレームに対応し、ダウンリンクサブフレームｎ−ｎCQI_refは、ランダムアクセス応答許可において対応するＣＱＩ要求を備えたサブフレームの後に受信される。
【００２８】
いくつかの構成では、あるダウンリンクサブフレームがそのワイヤレス通信デバイス（たとえば、ＵＥ）のためのダウンリンクサブフレームとして構成され、それが単一周波数ネットワーク（ＭＢＳＦＮ）サブフレームを通じたマルチキャスト／ブロードキャストでなく、それが（ダウンリンクパイロットタイムスロット（ＤｗＰＴＳ）の長さが７６８０＊Ｔｓ以下である場合）ＤｗＰＴＳフィールドを含んでおらず、それがそのワイヤレス通信デバイス（たとえば、ＵＥ）のための構成された測定ギャップ内に入らない場合、そのダウンリンクサブフレームは「有効である」と見なされる。ＣＱＩリファレンスリソースのための有効なダウンリンクサブフレームがない場合、アップリンクサブフレームｎにおけるＣＱＩ報告が省略される。
【００２９】
非周期的ＣＱＩ報告の場合、アップリンク（ＵＬ）許可のための対応するダウンリンク制御情報（ＤＣＩ）は（たとえば、ＤＣＩフォーマット０、ＤＣＩフォーマット４、またはＵＬ許可のためにＬＴＥ−Ａにおいて導入される任意の将来のＤＣＩフォーマットで）無効なサブフレーム中で送信し得る。これは、たとえば、共通リファレンス信号（ＣＲＳ）ベースの報告の場合、サブフレームが、ＣＲＳがデータ領域中に存在しないＭＢＳＦＮサブフレームである場合に生じ得る。これはまた、たとえば、チャネル状態情報リファレンス信号（ＣＳＩ−ＲＳ）ベースの報告の場合、サブフレームがＣＳＩ−ＲＳを含んでいない場合に生じ得る。しかしながら、いくつかの構成では、ＣＳＩ−ＲＳを含んでいないサブフレームも有効と定義され得ることに留意されたい。追加的にまたは代替的に、干渉はリファレンスサブフレームにおいて測定され、一方、チャネルは直近のＣＳＩ−ＲＳサブフレームにおいて測定されることもできる。いくつかの構成では、干渉およびチャネルは、異なるサブフレームにおいて測定されることができる。ＣＳＩ−ＲＳは、フィードバックのために使用される情報のサブセットを含み得ることに留意されたい。たとえば、ＣＲＳは、チャネルフィードバックと干渉フィードバックの両方を決定するための情報を含み得る。一構成では、ＣＳＩ−ＲＳは、干渉フィードバックのみ、またはチャネルフィードバックのみを決定するための情報を含むことができる。
【００３０】
代替的に、非周期的ＣＱＩ報告の場合、ＵＬ許可のための対応するＤＣＩ（たとえば、ＤＣＩフォーマット０、またはＵＬ許可のためにＬＴＥ−Ａにおいて導入される任意の新しいＤＣＩフォーマット）は、ＣＱＩリファレンスにとって不適切であるサブフレームにおいて送信し得る。これは、たとえば、相互サブフレームスケジューリング（cross-subframe scheduling）が使用される場合に生じ得る（たとえば、物理アップリンク共有チャネル（ＰＵＳＣＨ）をスケジューリングする物理ダウンリンク制御チャネル（ＰＤＣＣＨ）が、リリース８におけるタイミング関係とは異なるタイミング関係でサブフレームにおいて送られる）。ＰＤＣＣＨサブフレームとは異なるサブフレームが、ＣＱＩリファレンスについてより適切であり得ることに留意されたい。
【００３１】
上記で説明した同じ手法は、周期的報告に適用可能である。たとえば、チャネル状態情報リファレンス信号（ＣＳＩ−ＲＳ）ベースの報告の場合、同様の（１つまたは複数の）リファレンスサブフレームが定義され得る。本明細書で開示するシステムおよび方法は、非周期的報告に関して説明され得る。しかしながら、同じまたは同様の設計が周期的報告に適用可能であり得る。１つの具体的な例が以下のように与えられる。
【００３２】
半二重リレーでは、リレーノード（ＲＮ）が同時に送受信できない場合、ＲＮは、ＲＮがドナーｅＮＢからダウンリンクバックホールを受信したときにＭＢＳＦＮサブフレームを設定すべきである。言い換えれば、ＲＮにおけるダウンリンクバックホールサブフレームは、ＭＢＳＦＮサブフレームでなければならない。これらのＭＢＳＦＮサブフレームでは、ＲＮは、（たとえば、「アクセスリンク」ＵＥまたはＲＮに直接接続されたＵＥについて）最初の１つまたは２つの制御シンボルにおいて制御を送信し、送信から受信に切り替え、ドナーｅＮＢからダウンリンク（ＤＬ）バックホール情報（制御とデータの両方）を受信し、受信から送信に切り替えることができる。
【００３３】
ＵＬスケジューリングは、これらのＭＢＳＦＮサブフレームの制御領域中で実行され得る。同じＲｅｌ−８非周期的ＣＱＩリファレンスサブフレームが定義された場合、これらのＭＢＳＦＮサブフレームにおいて送られるＤＣＩについて、非周期的ＣＱＩは報告され得ない。時分割複信（ＴＤＤ）の場合、これらのＭＢＳＦＮサブフレームは、アクセスリンクＵＥについて同じＲｅｌ−８ハイブリッド自動再送要求（Ｈ−ＡＲＱ）タイミング関係を維持するために、ＵＬスケジューリングのために集中的に使用され得る。これは、非周期的ＣＱＩ報告を有する可能性に対する潜在的に厳しい制限であり得る。
【００３４】
次に、図を参照して様々な構成について説明する。類似の参照番号は機能的に同様の要素を示し得る。本明細書で概説し図示するシステムおよび方法は、多種多様な構成で配置および設計されることができる。したがって、図に表されるいくつかの構成についての以下のより詳細な説明は、特許請求の範囲を限定することを意図したものではなく、システムおよび方法を代表するものにすぎない。
【００３５】
図１は、リファレンスサブフレームを決定するためのシステムおよび方法が実装され得る、ワイヤレス通信デバイス１０２（たとえば、ＵＥ）の一構成を示すブロック図である。ワイヤレス通信デバイス１０２は、基地局１２２（たとえば、ｅＮＢ）と通信することができる。たとえば、ワイヤレス通信デバイス１０２と基地局１２２とは、電磁信号を送信および／または受信することによって、互いに通信することができる。
【００３６】
ワイヤレス通信デバイス１０２は、フィードバック報告モジュール１０４、コーダ／デコーダＡ１０８、モデムＡ１１０、トランシーバＡ１１２および／あるいは１つまたは複数のアンテナ１１４ａ〜ｎを含み得る。トランシーバＡ１１２は、１つまたは複数の信号（たとえば、信号１１６）を受信し、および／または１つまたは複数のアンテナ１１４ａ〜ｎを使用して１つまたは複数の信号（たとえば、報告１１８）を送信することができる。たとえば、トランシーバＡ１１２は、基地局１２２から信号１１６を受信し、増幅し、ダウンコンバートすることができ、それをモデムＡ１１０に提供することができる。トランシーバＡ１１２はまた、モデムＡ１１０によって与えられた変調された信号を取得することができる。トランシーバＡ１１２は、変調された信号をアップコンバートし、増幅し、１つまたは複数のアンテナ１１４ａ〜ｎを使用して送信することができる。
【００３７】
モデムＡ１１０は、信号を変調および／または復調することができる。たとえば、モデムＡ１１０は、トランシーバＡ１１２によって与えられた信号を復調し、復調された信号をコーダ／デコーダＡ１０８に提供することができる。モデムＡ１１０はまた、コーダ／デコーダＡ１０８によって与えられた符号化された信号を変調することができ、それを該１１０が変調された信号としてトランシーバＡ１１２に提供することができる。
【００３８】
コーダ／デコーダＡ１０８は、信号を符号化および／または復号することができる。たとえば、コーダ／デコーダＡ１０８は、モデムＡ１１０によって与えられた復調された信号を復号することができ、それを該１１０がフィードバック報告モジュール１０４に提供することができる。コーダ／デコーダＡ１０８はまた、フィードバック報告モジュール１０４によって与えられた信号を符号化することができ、それを該１０８がモデムＡ１１０に提供することができる。
【００３９】
フィードバック報告モジュール１０４は、基地局１２２から受信した信号１１６に基づいてフィードバック（たとえば、ＣＱＩ、ＰＭＩ、ＲＩ、および／またはＡＣＫ／ＮＡＣＫ）を生成することができる。たとえば、フィードバック報告モジュール１０４は、１つまたは複数のチャネル特性（たとえば、信号対雑音比（ＳＮＲ）、干渉、位相シフト、タイミング、周波数ドリフト、指向性、ビット誤り率など）を測定し、フィードバックを生成することができ、そのフィードバックは、報告１１８として基地局１２２に送信される。いくつかの構成では、報告１１８は、ＣＱＩ、ＰＭＩ、ＲＩ、ＡＣＫ／ＮＡＣＫ、および／またはチャネル状態情報（ＣＳＩ）などを含み得る。
【００４０】
フィードバック報告モジュール１０４は、リファレンスサブフレーム決定モジュール１０６を含み得る。リファレンスサブフレーム決定モジュール１０６は、フィードバック（たとえば、ＣＱＩ、ＰＭＩ、ＲＩなど）を生成するために使用されるリファレンスサブフレームを決定することができる。たとえば、特定のサブフレームに言及するフィードバック報告１１８がワイヤレス通信デバイス１０２によって生成され得る。言い換えれば、フィードバック報告モジュール１０４は、報告サブフレームに基づいて決定され得るリファレンスサブフレームに基づいてフィードバックを決定することができる。このフィードバックは、ワイヤレス通信デバイス１０２と基地局１２２との間の通信（たとえば、信頼性、信号強度など）を改善するために使用され得る。フィードバック（たとえば、ＣＱＩ、ＰＭＩ、ＲＩ）はまた、サブフレームにおいて基地局１２２に送信され得る。たとえば、フィードバックは、「報告」サブフレームとして記述されるサブフレームにおいて基地局１２２に送信され得る。
【００４１】
たとえば、ワイヤレス通信デバイス１０２と基地局１２２との間の通信は、無線フレームおよびサブフレームに従って構築され得る。各無線フレームは、いくつかのサブフレームを含み得る。各サブフレームは、時間（たとえば、時間の長さ、および／または開始／停止時間）に従って定義され得る。構成に応じて、たとえば、アップリンクサブフレーム、ダウンリンクサブフレームおよび特殊サブフレームなど、いくつかのサブフレームタイプが使用されることができる。
【００４２】
いくつかの構成では、リファレンスサブフレーム決定モジュール１０６は、リミットおよび１つまたは複数の制限基準に基づいてリファレンスサブフレームを決定することができる。たとえば、リファレンスサブフレーム決定モジュール１０６は、リミットと、報告サブフレーム（番号）、１つまたは複数のリミット、トリガリングのタイプ（たとえば、周期的または非周期的）、サブフレームの「有効性」、サブフレームのタイプ（たとえば、タイプ「Ｕ」またはタイプ「Ｎ」、アップリンクサブフレーム、ダウンリンクサブフレーム、ＤＣＩサブフレームなど）、サブフレームが干渉測定および／またはチャネル測定のために使用され得るかどうか、および／またはリファレンス信号のタイプ（たとえば、共通リファレンス信号（ＣＲＳ）またはチャネル状態情報リファレンス信号（ＣＳＩ−ＲＳ））などの１つまたは複数の制限基準とに基づいて、リファレンスサブフレームを決定することができる。追加的にまたは代替的に、リファレンスサブフレーム決定モジュール１０６は、リファレンスサブフレームを決定するための複数のモードのうちの１つを決定または選択することができる。場合によっては、モードは、基地局１２２からの信号１１６（たとえば、命令、コマンドなど）に基づいて選択され得る。本明細書で開示するシステムおよび方法による、１つまたは複数のリファレンスサブフレームの決定に関するいくつかの可能な構成の例が、以下でさらに詳細に与えられる。
【００４３】
基地局１２２は、操作モジュール１３０、コーダ／デコーダＢ１２８、モデムＢ１２６、トランシーバＢ１２４および／または１つもしくは複数のアンテナ１２０ａ〜ｎを含み得る。トランシーバＢ１２４は、１つもしくは複数の信号（たとえば、報告１１８）を受信し、および／または１つもしくは複数のアンテナ１２０ａ〜ｎを使用して１つもしくは複数の信号（たとえば、信号１１６）を送信することができる。たとえば、トランシーバＢ１２４は、ワイヤレス通信デバイス１０２から信号（たとえば、報告１１８）を受信し、増幅し、ダウンコンバートし、それをモデムＢ１２６に提供することができる。トランシーバＢ１２４はまた、モデムＢ１２６によって与えられた変調された信号を取得することができる。トランシーバＢ１２４は、変調された信号をアップコンバートし、増幅し、１つまたは複数のアンテナ１２０ａ〜ｎを使用して送信することができる。
【００４４】
モデムＢ１２６は、信号を変調および／または復調することができる。たとえば、モデムＢ１２６は、トランシーバＢ１２４によって与えられた信号を復調し、復調された信号をコーダ／デコーダＢ１２８に提供することができる。モデムＢ１２６はまた、コーダ／デコーダＢ１２８によって与えられた符号化信号を変調することができ、それを該１２６は、変調された信号としてトランシーバＢ１２４に提供することができる。
【００４５】
コーダ／デコーダＢ１２８は、信号を符号化および／または復号することができる。たとえば、コーダ／デコーダＢ１２８は、モデムＢ１２６によって与えられた復調された信号を復号し、それを該１２６は操作モジュール１３０に提供することができる。コーダ／デコーダＢ１２８はまた、操作モジュール１３０によって与えられた信号を符号化し、それを該１２８はモデムＢ１２６に提供することができる。
【００４６】
操作モジュール１３０は、基地局１２２とワイヤレス通信デバイス１０２との間の通信を可能にするために１つまたは複数の機能を実行することができる。たとえば、操作モジュール１３０は、スケジューリングメッセージ、フィードバック生成のためのリファレンス信号（たとえば、ＣＲＳ、ＣＳＩ−ＲＳ）、モード選択インジケータなどを生成することができる。これらのいくつかの情報のうちの１つまたは複数は、ワイヤレス通信デバイス１０２に送信されることができる。たとえば、信号１１６は、ワイヤレス通信デバイス１０２がフィードバック報告１１８を生成するために使用し得るリファレンス信号（たとえば、ＣＲＳ、ＣＳＩ−ＲＳ）を含み得る。追加的にまたは代替的に、信号１１６は、ワイヤレス通信デバイス１０２がリファレンスサブフレームを決定するモードを選択するために使用し得るモード選択インジケータを含み得る。
【００４７】
ワイヤレス通信デバイス１０２および／または基地局１２２内に含まれるものとして示した要素のうちの１つまたは複数は、ハードウェアで、ソフトウェアで、またはその両方の組合せで実装され得ることに留意されたい。たとえば、リファレンスサブフレーム決定モジュール１０６は、ハードウェアで、ソフトウェアで、またはその両方の組合せで実装され得る。
【００４８】
図２は、一連のサブフレームを示す図である。上記で説明したように、基地局１２２（たとえば、ｅＮＢ）とワイヤレス通信デバイス１０２（たとえば、ＵＥ）とは、サブフレーム中で互いにデータまたは情報を送信することができる。これらのサブフレームの各々は、サブフレーム番号２３８によって指定され得る。これらのサブフレームのうちの１つまたは複数は、情報またはデータを含み得る。基地局１２２が、いくつかのワイヤレス通信デバイス１０２をサービスし得ることに留意されたい。この場合、いくつかのサブフレーム中の情報は、１つのワイヤレス通信デバイス１０２に対応し、他のサブフレーム中の情報は、別のワイヤレス通信デバイスに対応し得る。追加的にまたは代替的に、サブフレームは、１つまたは複数のタイプ（たとえば、アップリンク、ダウンリンク、特殊など）であり得る。
【００４９】
ダウンリンク制御情報（ＤＣＩ）サブフレームなど、いくつかのサブフレームは、制御情報を含み得る。いくつかのサブフレームは、共通リファレンス信号（ＣＲＳ）またはチャネル状態情報リファレンス信号（ＣＳＩ−ＲＳ）などの１つまたは複数のリファレンス信号を含み得る。
【００５０】
ワイヤレス通信デバイス１０２は、報告サブフレームｎ２３６を決定することができる。たとえば、ワイヤレス通信デバイス１０２は、（たとえば、周期的フィードバックに従って）指定されたサブフレーム中で定期的にフィードバック報告を送信するように構成されることができ、または（たとえば、非周期的トリガリングに従って）基地局１２２によって要求されたときにフィードバック報告を送信するように構成されることができる。報告サブフレーム２３６ｎは、フィードバック報告１１８がワイヤレス通信デバイス１０２から基地局１２２に送信されるサブフレームであることができる。報告サブフレーム２３６の番号はｎで示されることができる。
【００５１】
ワイヤレス通信デバイス１０２はまた、リファレンスリソースサブフレームｎ−ｎreference２３４（本明細書では「リファレンスサブフレーム」と呼ばれることがある）を決定することができる。ワイヤレス通信デバイス１０２は、フィードバック報告をリファレンスサブフレーム２３４に基づくことができる。たとえば、ワイヤレス通信デバイス１０２は、ＣＱＩ、ＰＭＩおよび／またはＲＩを生成するためにリファレンスサブフレーム２３４中に含まれるデータまたは情報を使用することができる。リファレンスリソースサブフレーム番号は、リファレンスサブフレームｎ−ｎreference（たとえば、ｎ−ｎCQI_ref）として記載されることができる。言い換えれば、リファレンスリソースサブフレーム番号ｎ−ｎreferenceは、報告サブフレーム番号に基づき、および／または報告サブフレーム番号に関して記載されることができる。ｎreference２３２（たとえば、ｎCQI_ref）は、報告サブフレームｎ２３６とリファレンスリソースサブフレームｎ−ｎreference２３４との間のサブフレーム番号２３８の差であることができる。
【００５２】
いくつかの構成では、サブフレーム番号２３８は、循環的である、またはモジュラ関数に基づき得ることに留意されたい。たとえば、各無線フレームは、サブフレーム番号０〜９をもつサブフレームを含み得る。したがって、ｎreferenceがｎよりも大きい場合、リファレンスサブフレーム２３４は、以前の無線フレーム中のサブフレームに対応し得る。たとえば、ｎがサブフレーム２であり、ｎreferenceが４である場合、リファレンスサブフレーム２３４は、以前の無線フレーム中のサブフレーム８であり得る。
【００５３】
いくつかの構成では、同じまたは異なるリファレンスサブフレーム２３４を指定し得る、複数のｎreference２３２値が使用されることができる。たとえば、同じまたは異なるリファレンスサブフレーム２３４を指定するために、第１および第２のｎreference２３２（たとえば、ｎreferenceおよびｎreference2、たとえばそれぞれｎCQI_ref_intfおよびｎCQI_ref_channelなど）が使用され得る。同じまたは異なるリファレンスサブフレームは、異なるタイプの測定を行い、および／または異なるタイプのフィードバックを生成するために使用され得る。たとえば、ｎ−ｎCQI_ref_intfは、干渉を測定する（および、たとえば干渉測定に基づいてフィードバックを生成する）ために使用される第１のリファレンスサブフレームを指定することができ、ｎ−ｎCQI_ref_channelは、チャネルを測定する（および、たとえば、チャネル測定に基づいてフィードバックを生成する）ために使用される第２のリファレンスサブフレーム（第１のリファレンスサブフレームと同じものまたは異なるものであり得る）を指定することができる。
【００５４】
図３は、ワイヤレス通信デバイス１０２上でリファレンスサブフレームを決定するための方法３００の一構成を示す流れ図である。ワイヤレス通信デバイス１０２は、報告サブフレームｎを決定することができる（３０２）。たとえば、ワイヤレス通信デバイス１０２は、周期的フィードバックまたは非周期的トリガリング（たとえば、基地局１２２によって要求されたとき）に基づいて指定された報告サブフレームｎ内でフィードバック報告１１８を送信するように構成されることができる。
【００５５】
ワイヤレス通信デバイス１０２は、可能な場合、リファレンスサブフレームｎ−ｎreferenceを決定し得る（３０４）。より詳細には、ワイヤレス通信デバイス１０２は、可能な場合、リミット（たとえば、４、ｋ、Ｌ）と、（たとえば、報告サブフレーム番号ｎに加えて）１つまたは複数の制限基準とに基づいて、リファレンスサブフレームを決定し得る（３０４）。たとえば、リミットは、ｎreferenceのための可能な値の範囲を制限することができる。一構成では、たとえば、リミットが４である場合、ｎreference≧４である。制限基準は、３０４においてリファレンスサブフレームを決定するためにワイヤレス通信デバイス１０２によって使用され得る１つまたは複数の追加の条件であることができる。たとえば、制限基準は、１つまたは複数の追加のリミット（たとえば、最大値、最小値または両方）、サブフレームが「有効」であるかどうか、サブフレームがダウンリンク制御情報（ＤＣＩ）サブフレームであるかどうか、周期的フィードバックが使用されたのかまたは非周期的（フィードバック）トリガリングが使用されたのか、リファレンス信号のタイプ（たとえば、ＣＲＳまたはＣＳＩ−ＲＳ）、サブフレームタイプ、ワイヤレス通信デバイス１０２が異種ネットワーク（たとえば、ＨＥＴ−ＮＥＴ）において動作しているかどうか、サブフレームがワイヤレス通信デバイス１０２に割り当てられたかどうか、サブフレームが測定ギャップおよびモードに入るかどうかを含み得る。場合によっては、リミットと１つまたは複数の制限基準とを満たす利用可能なサブフレームがない場合、リファレンスサブフレームが決定されないことがある。サブフレームの数が時間量（たとえば、遅延）に対応し得ることに留意されたい。リミットおよび１つまたは複数の制限基準の例について、図４〜図１２に関して以下で説明する。
【００５６】
ワイヤレス通信デバイス１０２は、リファレンスサブフレームが決定された場合、リファレンスサブフレームに基づいて（フィードバック）報告１１８を生成することができる（３０６）。たとえば、ワイヤレス通信デバイス１０２は、リファレンスサブフレームから（たとえば、共通リファレンス信号（ＣＲＳ）またはチャネル状態情報リファレンス信号（ＣＳＩ−ＲＳ）から）の測定に基づいて、ＣＱＩ、ＰＭＩおよび／またはＲＩのうちの１つまたは複数を生成することができる。場合によっては、リファレンスサブフレームは、決定可能でないことがある。たとえば、リミットおよび１つまたは複数の制限基準は、利用可能なサブフレームによって満たされないことがある。そのような場合、報告１１８が生成されないことがある。
【００５７】
ワイヤレス通信デバイス１０２は、リファレンスサブフレームが決定された場合、報告サブフレームの期間中に報告１１８を送信することができる（３０８）。たとえば、ワイヤレス通信デバイス１０２は、報告サブフレームの期間中に、ＣＱＩ、ＰＭＩおよび／またはＲＩフィードバック報告１１８を基地局１２２に送信することができる。しかし、リファレンスサブフレームが決定されない場合、ワイヤレス通信デバイス１０２は、報告１１８を送信しないことがある。
【００５８】
図４は、リファレンスサブフレームを決定するための方法４００の一例を示す流れ図である。たとえば、図４は、図３に示した方法３００の１つの特定のモードまたは例を示し得る。より詳細には、図４は、共通リファレンス信号（ＣＲＳ）ベースのＣＱＩ／ＰＭＩ／ＲＩ報告のための方法の一例を示す。ワイヤレス通信デバイス１０２は、報告サブフレームｎを決定することができる（４０２）。言い換えれば、ワイヤレス通信デバイス１０２は、上記で説明したようにフィードバック（たとえば、ＣＱＩ／ＰＭＩ／ＲＩ）報告１１８をそこにおいて送信すべきサブフレームを決定することができる。これは、たとえば、非周期的トリガリングを使用して行われ得る。非周期的トリガリングでは、ワイヤレス通信デバイス１０２は、報告１１８がトリガされるか否かを決定するために何らかのタイミング割当てを受信し得る（基地局１２２から、ここではたとえば１ビットがタイミング割当てである）。
【００５９】
ワイヤレス通信デバイス１０２は、可能な場合、リファレンスサブフレームを決定することができる（４０４）。サブフレームｎ中の報告のためのリファレンスサブフレームは、非周期的トリガリングの場合、単一のダウンリンクサブフレームｎ−ｎCQI_refとして決定される（たとえば、単一のダウンリンクサブフレームｎ−ｎCQI_refによって定義される）ことができ、ここで、ｎCQI_refは、それが有効なダウンリンクサブフレームに対応するような、４よりも大きいかそれに等しい最小値である。より一般的には、ワイヤレス通信デバイス１０２は、可能な場合、リミットおよび少なくとも１つの制限基準に基づいてリファレンスサブフレームを決定することができる（４０４）。この例では、リミットは４であることができ、ｎreference（たとえば、ｎCQI_ref）は、有効なダウンリンクサブフレームに対応する、リミットよりも大きいかそれに等しい最小値である。この例では、制限基準は非周期的トリガリングを含む。これは、周期的ＣＱＩのために使用されるのと同様の設計であり得る。これはまた、周波数分割複信（ＦＤＤ）および時分割複信（ＴＤＤ）について同じリファレンスタイミングを使用することができる。
【００６０】
ワイヤレス通信デバイス１０２は、リファレンスサブフレームが決定された場合、リファレンスサブフレームに基づいて（フィードバック）報告１１８を生成することができる（４０６）。これは、たとえば、以上で図３に関して説明したように行われることができる。ワイヤレス通信デバイス１０２は、リファレンスサブフレームが決定された場合、報告サブフレームの期間中に報告１１８を送信することができる（４０８）。これは、たとえば、以上で図３に関して説明したように行われることができる。
【００６１】
図５は、リファレンスサブフレームを決定するための方法５００の別の例を示す流れ図である。たとえば、図５は、図３に示した方法３００の１つの特定のモードまたは例を示し得る。ワイヤレス通信デバイス１０２は、報告サブフレームｎを決定することができる（５０２）。これは、たとえば、上記で説明したように、周期的フィードバックまたは非周期的（フィードバック）トリガリングに基づいて行われることができる。
【００６２】
ワイヤレス通信デバイス１０２は、可能な場合、リファレンスサブフレームを決定することができる（５０４）。サブフレームｎにおける報告のためのリファレンスサブフレームは、単一のダウンリンクサブフレームｎ−ｎCQI_refとして決定される（たとえば、単一のダウンリンクサブフレームｎ−ｎCQI_refによって定義される）ことができ、ここで、ｎCQI_refは、（リファレンスリソースを含む）リファレンスサブフレームがＤＣＩサブフレーム中で対応するＣＱＩ要求のところまたはそれより前の第１の有効なダウンリンクサブフレームであるようなｎCQI_refである。より一般的には、ワイヤレス通信デバイス１０２は、可能な場合、リミット（たとえば、値Ｌ）と少なくとも１つの制限基準とに基づいてリファレンスサブフレームを決定することができる（５０４）。この例では、リミットはＬであることができ、ｎreference（たとえば、ｎCQI_ref）は、有効なダウンリンクサブフレームに対応する、リミットよりも大きいかそれに等しい最小値である。この例では、制限基準は、Ｌを報告サブフレームｎとダウンリンク制御情報（ＤＣＩ）サブフレームとの間のサブフレーム番号の差に制限することを含む。
【００６３】
これは、ＦＤＤおよびＴＤＤについて潜在的に異なるリファレンスタイミングを有し得る。ＦＤＤの場合、リファレンスサブフレームは、第１の有効なダウンリンク４ミリ秒（ｍｓ）またはそれ以前であり得る。ＤＣＩとＰＵＳＣＨとの間のタイミングは、通常４ｍｓである。ＴＤＤの場合、リファレンスサブフレームは、第１の有効なダウンリンクＸｍｓまたはそれ以前であり得る（たとえば、ＸｍｓがリミットＬに対応する）。ＤＣＩとＰＵＳＣＨとの間のタイミングは、たとえば、Ｘ≧４ｍｓであり得る。
【００６４】
ワイヤレス通信デバイス１０２は、リファレンスサブフレームが決定された場合、リファレンスサブフレームに基づいて（フィードバック）報告１１８を生成することができる（５０６）。これは、たとえば、以上で図３に関して説明したように行われることができる。ワイヤレス通信デバイス１０２は、リファレンスサブフレームが決定された場合、報告サブフレームの期間中に報告１１８を送信することができる（５０８）。これは、たとえば、以上で図３に関して説明したように行われることができる。
【００６５】
図４および図５に示した例は両方とも以下の短所を有しうることに留意されたい。非周期的ＣＱＩトリガリングによるＤＣＩが検出されると、ワイヤレス通信デバイス１０２は、ＤＣＩサブフレームよりも前のサブフレームを測定しなければならない。しかしながら、ワイヤレス通信デバイス１０２は、ＤＣＩサブフレームよりも前のサブフレームにおいて間欠受信（ＤＲＸ：Discontinuous Reception）していることがある。さらに、ワイヤレス通信デバイス１０２は、非周期的ＣＱＩ報告のために多くのＤＬサブフレームをバッファしなければならないことがある。図４および図５に示した例において適用され得る追加のオプションの制限基準は、ｎreference（たとえば、ｎCQI_ref）に追加の上限を設けることである。たとえば、４≦ｎreference≦Ｙ、またはＬ≦ｎreference≦Ｙであり、Ｙは上限である。
【００６６】
図６は、リファレンスサブフレームを決定するための方法６００の別の例を示す流れ図である。たとえば、図６は、図３に示した方法３００の１つの特定のモードまたは例を示し得る。ワイヤレス通信デバイス１０２は、報告サブフレームｎを決定することができる（６０２）。これは、たとえば、上記で説明したように、周期的フィードバックまたは非周期的（フィードバック）トリガリングに基づいて行われることができる。
【００６７】
ワイヤレス通信デバイス１０２は、可能な場合、リファレンスサブフレームを決定することができる（６０４）。サブフレームｎにおける報告のためのリファレンスサブフレームは、単一のダウンリンクサブフレームｎ−ｎCQI_refとして決定される（たとえば、単一のダウンリンクサブフレームｎ−ｎCQI_refによって定義される）ことができ、ここで、ｎCQI_refは、有効なダウンリンクサブフレームに対応する、４よりも大きいかそれに等しい最小値であり、リファレンスサブフレーム（たとえば、リファレンスリソース）が、ＤＣＩフォーマットにおける対応するＣＱＩ要求のところまたはそれより後の第１の有効なダウンリンクサブフレームであるようなｎCQI_refである。言い換えれば、リファレンスサブフレームは、少なくとも（たとえば、報告サブフレームよりも）４ｍｓ早いものであることができ、ＤＣＩサブフレームのところまたはそれより後であることができる。これは、ＤＣＩサブフレームがＭＢＳＦＮである場合、およびＤＣＩとＰＵＳＣＨとの間のタイミングが（たとえば、ＦＤＤおよび一部のＴＤＤケースのように）４ｍｓである場合、非周期的ＣＱＩ報告がトリガされるべきでない（または、トリガされた場合、意味のある非周期的ＣＱＩ報告が存在しないことがある）ことを意味し得る。そうではない場合（たとえば、一部のＴＤＤケースのように、タイミング＞４ｍｓである場合）、ＤＣＩサブフレームとサブフレームｎ−４との間に少なくとも１つの有効なダウンリンクリファレンスサブフレームがあれば、非周期的ＣＱＩがトリガされることができる。
【００６８】
より一般的には、ワイヤレス通信デバイス１０２は、可能な場合、リミットおよび少なくとも１つの制限基準に基づいてリファレンスサブフレームを決定することができる（６０４）。この例では、リミットは４であることができ、ｎreference（たとえば、ｎCQI_ref）は、ＤＣＩサブフレームのところまたはそれより後にある有効なダウンリンクサブフレームに対応する、リミットよりも大きいかそれに等しい最小値である。この例では、制限基準は、ｎreferenceに対して追加の上限Ｌを課すことを含み、ここで、Ｌは、報告サブフレームｎとダウンリンク制御情報（ＤＣＩ）サブフレームとの間のサブフレーム番号の差である。たとえば、４≦ｎreference≦Ｌである。
【００６９】
ワイヤレス通信デバイス１０２は、リファレンスサブフレームが決定された場合、リファレンスサブフレームに基づいて（フィードバック）報告１１８を生成することができる（６０６）。これは、たとえば、以上で図３に関して説明したように行われることができる。ワイヤレス通信デバイス１０２は、リファレンスサブフレームが決定された場合、報告サブフレームの期間中に報告１１８を送信することができる（６０８）。これは、たとえば、以上で図３に関して説明したように行われることができる。
【００７０】
図７は、リファレンスサブフレームを決定するための方法７００の別の例を示す流れ図である。たとえば、図７は、図３に示した方法３００の１つの特定のモードまたは例を示し得る。ワイヤレス通信デバイス１０２は、報告サブフレームｎを決定することができる（７０２）。これは、たとえば、上記で説明したように、周期的フィードバックまたは非周期的（フィードバック）トリガリングに基づいて行われることができる。
【００７１】
ワイヤレス通信デバイス１０２は、可能な場合、リファレンスサブフレームを決定することができる（７０４）。サブフレームｎにおける報告のためのリファレンスサブフレームは、単一のダウンリンクサブフレームｎ−ｎCQI_refとして決定される（たとえば、単一のダウンリンクサブフレームｎ−ｎCQI_refによって定義される）ことができ、ここで、ｎCQI_refは、サブフレームが有効なダウンリンクサブフレームである場合に、リファレンスサブフレームがＤＣＩサブフレームにおける対応するＣＱＩ要求のところのダウンリンクサブフレームである（たとえば、リファレンスリソースが該ダウンリンクサブフレーム中にある）ようなｎCQI_refであり、または、ｎCQI_refは、ｎ−ｎCQI_refが所定の（たとえば、固定の）サブフレーム番号（たとえば、０、５など）に対応するようなｎCQI_refである。
【００７２】
より一般的には、ワイヤレス通信デバイス１０２は、可能な場合、リミットおよび少なくとも１つの制限基準に基づいてリファレンスサブフレームを決定することができる（７０４）。この例では、リミットは４であることができ、ｎreference（たとえば、ｎCQI_ref）は、有効なダウンリンクサブフレームに対応する、リミットよりも大きいかそれに等しい最小値であり、制限基準は、ｎ−ｎreferenceがダウンリンク制御情報サブフレーム番号に対応するかまたは所定のサブフレーム番号に対応するような値にｎreferenceを制限することを含む。
【００７３】
ワイヤレス通信デバイス１０２は、リファレンスサブフレームが決定された場合、リファレンスサブフレームに基づいて（フィードバック）報告１１８を生成することができる（７０６）。これは、たとえば、以上で図３に関して説明したように行われることができる。ワイヤレス通信デバイス１０２は、リファレンスサブフレームが決定された場合、報告サブフレームの期間中に報告１１８を送信することができる（７０８）。これは、たとえば、以上で図３に関して説明したように行われることができる。
【００７４】
図８は、リファレンスサブフレームを決定するための方法８００の別の例を示す流れ図である。たとえば、図８は、図３に示した方法３００の１つの特定のモードまたは例を示し得る。この例は、図６に示した例の拡張と考えられる。ワイヤレス通信デバイス１０２は、報告サブフレームｎを決定することができる（８０２）。これは、たとえば、上記で説明したように、周期的フィードバックまたは非周期的（フィードバック）トリガリングに基づいて行われることができる。
【００７５】
ワイヤレス通信デバイス１０２は、可能な場合、リファレンスサブフレームを決定することができる（８０４）。サブフレームｎにおける報告のためのリファレンスサブフレームは、単一のダウンリンクサブフレームｎ−ｎCQI_refとして決定される（たとえば、単一のダウンリンクサブフレームｎ−ｎCQI_refによって定義される）ことができ、ここで、ｎCQI_refは、有効なダウンリンクサブフレームに対応する、ｋ（たとえば、２≦ｋ≦４）よりも大きいかそれに等しい最小値であり、リファレンスサブフレームがＤＣＩサブフレームにおいて対応するＣＱＩ要求のところまたはそれより後の第１の有効なダウンリンクサブフレームである（たとえば、リファレンスリソースが該第１の有効なダウンリンクサブフレーム中にある）ようなｎCQI_refである。たとえば、これは、リファレンスサブフレームとＣＱＩ報告との間のタイミングの緩和を可能にする。最小値４ｍｓの代わりに、たとえば、より小さい値が使用されることができる。
【００７６】
より一般的には、ワイヤレス通信デバイス１０２は、可能な場合、リミットおよび少なくとも１つの制限基準に基づいてリファレンスサブフレームを決定することができる（８０４）。この例では、リミットはｋであることができ、ｎreference（たとえば、ｎCQI_ref）は、ＤＣＩサブフレームのところまたはそれより後にある有効なダウンリンクサブフレームに対応する、リミットよりも大きいかそれに等しい最小値である。この例では、制限基準は、ｎreferenceに対して追加の上限Ｌを課すことを含み、ここで、Ｌは、報告サブフレームｎとダウンリンク制御情報（ＤＣＩ）サブフレームとの間のサブフレーム番号の差である。たとえば、ｋ≦ｎreference≦Ｌである。
【００７７】
ワイヤレス通信デバイス１０２は、リファレンスサブフレームが決定された場合、リファレンスサブフレームに基づいて（フィードバック）報告１１８を生成することができる（８０６）。これは、たとえば、以上で図３に関して説明したように行われることができる。ワイヤレス通信デバイス１０２は、リファレンスサブフレームが決定された場合、報告サブフレームの期間中に報告１１８を送信することができる（８０８）。これは、たとえば、以上で図３に関して説明したように行われることができる。
【００７８】
図４〜図８に示した例は、表（１）に示すようにまとめられる。  
【表１】
2013541297.tif 000003
【００７９】
図９は、リファレンスサブフレームを決定するための方法９００の別の例を示す流れ図である。たとえば、図９は、図３に示した方法３００の１つの特定のモードまたは例を示し得る。この例では、単一のリファレンスサブフレームがチャネルおよび干渉決定の両方のために使用され得る。ワイヤレス通信デバイス１０２は、報告サブフレームｎを決定することができる（９０２）。これは、たとえば、上記で説明したように、周期的フィードバックまたは非周期的（フィードバック）トリガリングに基づいて行われることができる。
【００８０】
ワイヤレス通信デバイス１０２は、可能な場合、リファレンスサブフレームを決定することができる（９０４）。サブフレームｎ中の報告のためのリファレンスサブフレームは、単一のダウンリンクサブフレームｎ−ｎCQI_refとして決定される（たとえば、単一のダウンリンクサブフレームｎ−ｎCQI_refによって定義される）ことができ、ここで、ｎCQI_refは、チャネル状態情報リファレンス信号（ＣＳＩ−ＲＳ）を含む有効なダウンリンクサブフレームに対応する、ｋよりも大きいかそれに等しい最小値である。たとえば、ダウンリンクサブフレームは、それがＣＳＩ−ＲＳを含む場合、有効と見なされる。
【００８１】
一例では、チャネル（たとえばＰＭＩフィードバックについて）および干渉（たとえばＣＱＩフィードバックについて）の両方が、チャネル状態情報リファレンス信号（ＣＳＩ−ＲＳ）を介して測定されることができる。リファレンスサブフレームは、ＣＳＩ−ＲＳを含む直近のサブフレームであることができる。リファレンスサブフレームは、それがダウンリンクサブフレームであり、測定ギャップ中になく、ＣＳＩ−ＲＳを含んでいる場合に、有効と定義され得る。
【００８２】
より一般的には、ワイヤレス通信デバイス１０２は、可能な場合、リミットおよび少なくとも１つの制限基準に基づいてリファレンスサブフレームを決定することができる（９０４）。この例では、リミットはｋであることができ、ｎreference（たとえば、ｎCQI_ref）は、有効なダウンリンクサブフレームに対応する、リミットよりも大きいかそれに等しい最小値である。この例では、制限基準は、ＣＳＩ−ＲＳを含むダウンリンクサブフレームを含む。
【００８３】
ワイヤレス通信デバイス１０２は、リファレンスサブフレームが決定された場合、リファレンスサブフレームに基づいて（フィードバック）報告１１８を生成することができる（９０６）。これは、たとえば、以上で図３に関して説明したように行われることができる。ワイヤレス通信デバイス１０２は、リファレンスサブフレームが決定された場合、報告サブフレームの期間中に報告１１８を送信することができる（９０８）。これは、たとえば、以上で図３に関して説明したように行われることができる。
【００８４】
図１０は、リファレンスサブフレームを決定するための方法１０００の別の例を示す流れ図である。たとえば、図１０は、図３に示した方法３００の１つの特定のモードまたは例を示し得る。この例では、同じまたは異なるリファレンスサブフレームがチャネルおよび干渉決定のために使用されることができる。ワイヤレス通信デバイス１０２は、報告サブフレームｎを決定することができる（１００２）。これは、たとえば、上記で説明したように、周期的フィードバックまたは非周期的（フィードバック）トリガリングに基づいて行われることができる。
【００８５】
ワイヤレス通信デバイス１０２は、可能な場合、第１のリファレンスサブフレームｎ−ｎreference（たとえば、ｎ−ｎCQI_ref_intf）を決定することができる（１００４）。サブフレームｎ中の報告のための第１のリファレンスサブフレームは、単一のダウンリンクサブフレームｎ−ｎCQI_ref_intfとして決定される（たとえば、単一のダウンリンクサブフレームｎ−ｎCQI_ref_intfによって定義される）ことができ、ここで、ｎCQI_ref_intfは、それが第１の有効なダウンリンクサブフレームに対応するような、ｋ1（たとえば、ｋ1≦４）よりも大きいかそれに等しい値である。
【００８６】
より一般的には、ワイヤレス通信デバイス１０２は、可能な場合、リミットおよび少なくとも１つの制限基準に基づいて第１のリファレンスサブフレームを決定することができる（１００４）。この例では、リミットはｋ1であることができ、ｎreference（たとえば、ｎCQI_ref_intf）は、第１の有効なダウンリンクサブフレームに対応する、リミットよりも大きいかそれに等しい値である。さらに、制限基準は、干渉測定のためにサブフレームを使用することを含む。たとえば、ｎ−ｎreferenceは、干渉（たとえばＣＱＩフィードバックについて）を測定するために使用され得るダウンリンクサブフレームを指定することができる。
【００８７】
ワイヤレス通信デバイス１０２は、可能な場合、第２のリファレンスサブフレームｎ−ｎreference2（たとえば、ｎ−ｎCQI_ref_channel）を決定することができる（１００６）。サブフレームｎ中の報告のための第２のリファレンスサブフレームは、単一のダウンリンクサブフレームｎ−ｎCQI_ref_channelとして決定される（たとえば、単一のダウンリンクサブフレームｎ−ｎCQI_ref_channelによって定義される）ことができ、ここで、ｎCQI_ref_channelは、それが第２の有効なダウンリンクサブフレームに対応するような、ｋ2（たとえば、ｋ2≦４）よりも大きいかそれに等しい値である。
【００８８】
より一般的には、ワイヤレス通信デバイス１０２は、可能な場合、リミットに基づいて（および、オプションで、たとえば、少なくとも１つの制限基準に基づいて）第２のリファレンスサブフレームを決定することができる（１００６）。この例では、第２のリミットはｋ2であることができ、ｎreference2（たとえば、ｎCQI_ref_channel）は、（第１の有効なダウンリンクサブフレームと同じものまたは異なるものであり得る）第２の有効なダウンリンクサブフレームに対応する、第２のリミットよりも大きいかそれに等しい値である。いくつかの構成では、制限基準は、チャネル測定のために第２の有効なダウンリンクサブフレームを使用することをさらに含むことができる。たとえば、ｎ−ｎreference2（たとえばｎ−ｎCQI_ref_channel）は、チャネル（たとえば、ＰＭＩフィードバックについて）を測定するために使用され得るダウンリンクサブフレームを指定することができる。
【００８９】
ワイヤレス通信デバイス１０２は、第１のリファレンスサブフレームが決定された場合（たとえば、上記で説明した条件を満たすサブフレームが利用可能である場合）第１のリファレンスサブフレームにおける干渉を測定することができる（１００８）。たとえば、ワイヤレス通信デバイス１０２は、第１のリファレンスサブフレームにおいて信号（たとえば、受信されたおよび／または受信されなかったデータまたは情報）を使用して干渉を測定することができる（１００８）。ワイヤレス通信デバイス１０２は、第２のリファレンスサブフレームが決定された場合（たとえば、上記で説明した条件を満たすサブフレームが利用可能である場合）第２のリファレンスサブフレームにおいてチャネルを測定することができる（１０１０）。たとえば、ワイヤレス通信デバイス１０２は、第２のリファレンスサブフレームにおいて信号（たとえば、受信されたおよび／または受信されなかったデータまたは情報）を使用してチャネルを測定することができる（１０１０）。
【００９０】
一例では、チャネルはＣＳＩ−ＲＳを介して測定されることができ、干渉はＣＲＳを介して測定されることができる。たとえば、第１のリファレンスサブフレームは、ＣＲＳに基づいて定義され得る。より詳細には、上述した（たとえば、図４、図５、図６、図７、図８に関して説明した、または上記のリリース８オプションに関して説明した）ｎreference値のうちの１つが適用され得る。リファレンスサブフレームは、それがダウンリンクサブフレームであり、測定ギャップ中ではなく、場合によってはＤｗＰＴＳではなく、および／またはＭＢＳＦＮではない場合、有効であり得る。第２のリファレンスサブフレームは、ＣＳＩ−ＲＳに基づくことができ、その場合、それは、直近のＣＳＩ−ＲＳサブフレームに対応し、測定ギャップには入らない。
【００９１】
別の例では、チャネルはＣＳＩ−ＲＳを介して測定されることができ、干渉はＣＲＳを介して測定されることができる。別の例では、チャネルと干渉の両方がＣＲＳを介して測定され得る。さらに別の例では、チャネルと干渉の両方がＣＳＩ−ＲＳを介して測定され得る。
【００９２】
ワイヤレス通信デバイス１０２は、第１のリファレンスサブフレームが決定された場合には第１のリファレンスサブフレームに基づいて、および／または第２のリファレンスサブフレームが決定された場合には第２のリファレンスサブフレームに基づいて、（フィードバック）報告１１８を生成することができる（１０１２）。たとえば、ワイヤレス通信デバイス１０２は、（１つまたは複数の）リファレンスサブフレームにおいて受信された（または受信されなかった）情報に基づいてＣＱＩ、ＰＭＩおよび／またはＲＩのうちの１つまたは複数を生成することができる。次いで、ワイヤレス通信デバイス１０２は、第１のリファレンスサブフレームが決定された場合および／または第２のリファレンスサブフレームが決定された場合、報告サブフレームの期間中に報告を送信することができる（１０１４）。より詳細には、ワイヤレス通信デバイス１０２は、可能な場合、報告サブフレームの期間中にＣＱＩ、ＰＭＩおよび／またはＲＩフィードバック報告を基地局１２２に送信することができる。
【００９３】
図１１は、リファレンスサブフレームを決定するための方法１１００の別の例を示す流れ図である。たとえば、図１０は、図３に示した方法３００の１つの特定のモードまたは例を示し得る。図１１に示す方法は、同じまたは異なるサブフレームタイプを使用することができる。たとえば、リファレンスサブフレームがサブフレームタイプに基づいて決定され得る。たとえば、異種ネットワーク（ＨｅｔＮｅｔ）では、異なるサブフレームタイプがあり得る。各タイプは、ワイヤレス通信デバイス１０２の観点から平均してある特定の量のセル間干渉を表し得る。たとえば、Ｎタイプサブフレームは、特定のワイヤレス通信デバイス１０２について高い干渉量を有するサブフレームであり得る。たとえば、Ｎタイプサブフレームは、あるサブフレームについて、平均よりも高い干渉を含み得る。場合によっては、Ｎタイプサブフレームは、一般に、使用不可能であると考えられ得る（しかしそれでも、場合によっては使用され得る）。Ｕタイプサブフレームは、干渉がより少ないサブフレームであり得る。たとえば、Ｕタイプサブフレームは、あるサブフレームについて、平均よりも低い干渉を含み得る。場合によっては、Ｕタイプサブフレームは、使用可能であると考えられ得る。ＰＤＣＣＨは、ある特定のサブフレーム（および／またはサブフレームタイプ）において選択的に送信され得る。また、相互サブフレームスケジューリングが使用され得る。たとえば、ＰＤＣＣＨとＰＵＳＣＨとの間のタイミングは、もはやリリース８ベースではないことがあるが、リリース８におけるタイミングとは異なる（たとえば、より大きい）ものであり得る。
【００９４】
図１１に示した例では、同じリファレンスサブフレームがチャネルおよび干渉決定の両方のために使用され得る。さらに、この方法は、ＣＲＳおよびＣＳＩ−ＲＳ構成の両方に適用可能であり得る。ワイヤレス通信デバイス１０２は、報告サブフレームｎを決定することができる（１１０２）。言い換えれば、ワイヤレス通信デバイス１０２は、上記で説明したように、周期的フィードバックまたは非周期的（フィードバック）トリガリングに基づいてフィードバック（たとえば、ＣＱＩ／ＰＭＩ／ＲＩ）報告１１８をそれにおいて送信すべきサブフレームを決定することができる（１１０２）。
【００９５】
ワイヤレス通信デバイス１０２は、可能な場合、リファレンスサブフレームｎ−ｎreference（たとえば、ｎ−ｎCQI_ref）を決定することができる（１１０４）。サブフレームｎにおける報告のためのリファレンスサブフレームは、単一のダウンリンクサブフレームｎ−ｎCQI_refとして決定される（たとえば、単一のダウンリンクサブフレームｎ−ｎCQI_refによって定義される）ことができ、ここで、ｎCQI_refは、それがある特定のサブフレームタイプの有効なダウンリンクサブフレームに対応するような、ｋ（たとえば、ｋ≦４）よりも大きいかそれに等しい値である。
【００９６】
たとえば、図４、図５、図６、図７、図８、図９、図１０またはリリース８に関して以上で説明した例（たとえば、ｎreferenceの値）のうちの１つは、ある特定のサブフレームタイプに適用され得る。また、リファレンスサブフレームおよび報告サブフレームのサブフレームタイプは、同じものまたは異なるものであることができ、それが基地局１２２（たとえば、ｅＮＢ）によって制御され得ることに留意されたい。言い換えれば、リファレンスサブフレームに関するサブフレームタイプは、暗黙的にまたは明示的に定義され得る。
【００９７】
より一般的には、ワイヤレス通信デバイス１０２は、可能な場合、リミットおよび少なくとも１つの制限基準に基づいてリファレンスサブフレームを決定することができる（１１０４）。この例では、リミットはｋであることができ、ｎreference（たとえば、ｎCQI_ref）は、有効なダウンリンクサブフレームに対応する、リミットよりも大きいかそれに等しい最小値である。この例では、制限基準は、ある特定のサブフレームタイプ（たとえば、「Ｎ」または「Ｕ」）であるダウンリンクサブフレームを含む。
【００９８】
ワイヤレス通信デバイス１０２は、リファレンスサブフレームが決定された場合、リファレンスサブフレームに基づいて（フィードバック）報告１１８を生成することができる（１１０６）。これは、たとえば、以上で図３に関して説明したように行われることができる。ワイヤレス通信デバイス１０２は、リファレンスサブフレームが決定された場合、報告サブフレームの期間中に報告１１８を送信することができる（１１０８）。これは、たとえば、以上で図３に関して説明したように行われることができる。
【００９９】
図１２は、リファレンスサブフレームを決定するための方法１２００の別の例を示す流れ図である。たとえば、図１２は、図３に示した方法３００の１つの特定のモードまたは例を示し得る。図１２に示す例は、同じまたは異なるサブフレームタイプを使用することができる。たとえば、リファレンスサブフレームは、サブフレームタイプ（たとえば、上述した「Ｕ」または「Ｎ」）に基づいて決定され得る。各タイプは、ワイヤレス通信デバイス１０２の観点から平均してある特定の量のセル間干渉を表し得る。ＰＤＣＣＨは、ある特定のサブフレーム（および／またはサブフレームタイプ）において選択的に送信され得る。また、相互サブフレームスケジューリングが使用され得る。たとえば、ＰＤＣＣＨとＰＵＳＣＨとの間のタイミングは、もはやリリース８ベースではないことがあるが、Ｒｅｌ−８におけるタイミングとは異なる（たとえば、より大きい）ものであり得る。
【０１００】
図１２に示した例では、異なるリファレンスサブフレームが、いくつかの場合においてチャネルおよび干渉決定のために使用され得る。さらに、この例は、ＣＲＳおよびＣＳＩ−ＲＳ構成の両方に適用可能であり得る。ワイヤレス通信デバイス１０２は、報告サブフレームｎを決定することができる（１２０２）。言い換えれば、ワイヤレス通信デバイス１０２は、上記で説明したようにフィードバック（たとえば、ＣＱＩ／ＰＭＩ／ＲＩ）報告１１８をそこにおいて送信すべきサブフレームを決定することができる（１２０２）。
【０１０１】
ワイヤレス通信デバイス１０２は、可能な場合、第１のリファレンスサブフレームｎ−ｎreference（たとえば、ｎ−ｎCQI_ref_intf）を決定することができる（１２０４）。サブフレームｎにおける報告のための第１のリファレンスサブフレームは、単一のダウンリンクサブフレームｎ−ｎCQI_ref_intfとして決定される（たとえば、単一のダウンリンクサブフレームｎ−ｎCQI_ref_intfによって定義される）ことができ、ここで、ｎCQI_ref_intfは、それがある特定のサブフレームタイプの第１の有効なダウンリンクサブフレームに対応するような、ｋ1（たとえば、ｋ1≦４）よりも大きいかそれに等しい値である。
【０１０２】
より一般的には、ワイヤレス通信デバイス１０２は、可能な場合、リミットおよび少なくとも１つの制限基準に基づいて第１のリファレンスサブフレームを決定することができる（１２０４）。この例では、リミットはｋ1であることができ、ｎreference（たとえば、ｎCQI_ref_intf）は、第１の有効なダウンリンクサブフレームに対応する、リミットよりも大きいかそれに等しい値である。さらに、制限基準は、ある特定のサブフレームタイプ（たとえば、「Ｕ」または「Ｎ」）のサブフレームを使用することを含む。たとえば、ｎ−ｎreferenceは、（たとえば、ＣＱＩフィードバックについて）干渉を測定するために使用され得るある特定のタイプのダウンリンクサブフレームを指定し得る。
【０１０３】
ワイヤレス通信デバイス１０２は、可能な場合、第２のリファレンスサブフレームｎ−ｎreference2（たとえば、ｎ−ｎCQI_ref_channel）を決定することができる（１２０６）。サブフレームｎにおける報告のための第２のリファレンスサブフレームは、単一のダウンリンクサブフレームｎ−ｎCQI_ref_channelとして決定される（たとえば、単一のダウンリンクサブフレームｎ−ｎCQI_ref_channelによって定義される）ことができ、ここで、ｎCQI_ref_channelは、それが第２の有効なダウンリンクサブフレーム（たとえば、ある特定のサブフレームタイプのもの）に対応するような、ｋ2（たとえば、ｋ2≦４）よりも大きいかそれに等しい値である。
【０１０４】
より一般的には、ワイヤレス通信デバイス１０２は、可能な場合、リミットに基づいて（および、オプションで、たとえば少なくとも１つの制限基準に基づいて）、第２のリファレンスサブフレームを決定することができる（１２０６）。この例では、第２のリミットはｋ2であることができ、ｎreference2（たとえば、ｎCQI_ref_channel）は、（第１の有効なダウンリンクサブフレームと同じものまたは異なるものであり得る）第２の有効なダウンリンクサブフレームに対応する、第２のリミットよりも大きいかそれに等しい値である。いくつかの構成では、制限基準は、ある特定のサブフレームタイプの第２の有効なダウンリンクサブフレームを使用することをさらに含むことができる。たとえば、ｎ−ｎreference2（たとえば、ｎ−ｎCQI_ref_channel）は、（たとえば、ＰＭＩフィードバックについて）チャネルを測定するために使用され得るある特定のサブフレームタイプのダウンリンクサブフレームを指定し得る。
【０１０５】
ワイヤレス通信デバイス１０２は、第１のリファレンスサブフレームが決定された場合（たとえば、上記で説明した条件を満たすサブフレームが利用可能である場合）第１のリファレンスサブフレームにおいて干渉を測定することができる（１２０８）。たとえば、ワイヤレス通信デバイス１０２は、第１のリファレンスサブフレームにおいて信号（たとえば、受信されたおよび／または受信されなかったデータまたは情報）を使用して干渉を測定することができる（１２０８）。ワイヤレス通信デバイス１０２は、第２のリファレンスサブフレームが決定された場合（たとえば、上記で説明した条件を満たすサブフレームが利用可能である場合）第２のリファレンスサブフレームにおいてチャネルを測定することができる（１２１０）。たとえば、ワイヤレス通信デバイス１０２は、第２のリファレンスサブフレームにおいて信号（たとえば、受信されたおよび／または受信されなかったデータまたは情報）を使用してチャネルを測定することができる（１２１０）。
【０１０６】
ワイヤレス通信デバイス１０２は、第１のリファレンスサブフレームが決定された場合には第１のリファレンスサブフレームに基づいて、および／または第２のリファレンスサブフレームが決定された場合には第２のリファレンスサブフレームに基づいて、（フィードバック）報告１１８を生成することができる（１２１２）。たとえば、ワイヤレス通信デバイス１０２は、（１つまたは複数の）リファレンスサブフレームにおいて受信された（または受信されなかった）情報に基づいて、ＣＱＩ、ＰＭＩおよび／またはＲＩのうちの１つまたは複数を生成することができる。次いで、ワイヤレス通信デバイス１０２は、第１のリファレンスサブフレームが決定された場合および／または第２のリファレンスサブフレームが決定された場合、報告サブフレームの期間中に報告を送信することができる（１２１４）。より詳細には、ワイヤレス通信デバイス１０２は、可能な場合、報告サブフレームの期間中に、ＣＱＩ、ＰＭＩおよび／またはＲＩフィードバック報告を基地局１２２に送信することができる。
【０１０７】
このように、サブフレームｎにおけるＣＱＩ／ＣＳＩ報告のためにいくつかの代替的なリファレンスサブフレームが使用され得る。一例では、リファレンスサブフレームは、サブフレームが有効である場合、ＤＣＩサブフレームに（常に）基づき得る。測定遅延は、４ｍｓよりも大きくなり得るが、これは望ましくないことがある。別の例では、リファレンスサブフレームは、有効なサブフレーム（たとえば、ｎ−ｋ、ただしｋ≧２、ｋ≧４など）またはそれ以前であるがＤＣＩサブフレームの前ではないサブフレームに基づき得る。測定遅延は十分に制御され得る。別の例では、リファレンスサブフレームは、有効なサブフレーム（たとえば、ｎ−ｋ、ただしｋ≧２、ｋ≧４など）またはそれ以前の、ＤＣＩサブフレームと同じサブフレームタイプのものであるがＤＣＩサブフレームの前ではないサブフレームに基づき得る。この例では、測定遅延は十分に制御され得る。ワイヤレス通信デバイス１０２は、いずれかのオプションについて半静的に構成され得る。上記で説明した他の変形形態も、同様に適用可能であり得る。
【０１０８】
いくつかの点に留意されたい。干渉は、常に、定義されたリファレンスサブフレームにおいて測定され得る。一例では、リファレンスサブフレームタイプ（たとえば、タイプＵ／タイプＮ）が、ＤＣＩタイミングを用いて制御され得る。別の例では、リファレンスサブフレームタイプは、レイヤ３（Ｌ３）ＣＳＩ構成を用いて制御され得る。さらに別の例では、リファレンスサブフレームタイプは、ＤＣＩコードポイントを用いて制御され得る。干渉のための有効なサブフレームは、上記で説明した代替的な条件のうちの１つを満たす要求されたタイプの直近のサブフレームであり得る。チャネルは、直近の好適なサブフレームにおいて測定され得る。好適なサブフレームは、（たとえば、サービングセルのための）Ｕサブフレームであり得る。穏やかな干渉状態では、どんなサブフレームもチャネル測定に好適であり得る。たとえば、ＣＲＳまたはＣＳＩ−ＲＳ電力変動が許容されないのであれば、サブフレームの厳密な定義は必ずしも必要ではない。
【０１０９】
また、ワイヤレス通信デバイス１０２が、上記で説明した例のうちの１つまたは複数を使用するように構成され得ることに留意されたい。たとえば、ワイヤレス通信デバイス１０２は、それが図４〜図１２に示した例（たとえば、「モード」）のうちの１つまたは複数を使用してリファレンスサブフレームを決定し得るように構成され得る。たとえば、ワイヤレス通信デバイス１０２は、方法のうちの１つが（たとえば、チャネル状態に応じて）より有益であろうことを決定し、それにより、その方法を選択し、使用することができる。追加的にまたは代替的に、基地局１２２は、リファレンスサブフレームを決定するためのいくつかの利用可能なモードのうちの１つを選択するためにワイヤレス通信デバイス１０２を割り当てることができる。
【０１１０】
さらに、ワイヤレス通信デバイス１０２について、異なる設計オプションが異なるチャネルフィードバックタイプのために適用され得る。たとえば、（通常、より低い頻度で送られる）ＲＩの場合、ワイヤレス通信デバイス１０２は、ＣＱＩおよび／またはＰＭＩの場合と同じ特定のサブフレームタイプ（たとえば、「Ｕ」または「Ｎ」タイプサブフレーム）に従わないことがある。ＲＩは、いくつかの構成では、常にＵサブフレームを参照することによって報告され得る。この場合、ＮサブフレームについてのＰＭＩおよびＣＱＩは、統合され、Ｕサブフレームについて報告されるＲＩから独立したものであり得る。言い換えれば、基地局１２２（たとえば、ｅＮＢ）は、Ｕサブフレームとは異なるＮサブフレームにおけるランクを解釈し得る。代替的に、ＲＩは、２つ以上のサブフレームタイプについて個々に（たとえば、Ｕサブフレームについて１つ、「Ｎ」サブフレームについて他の１つのように）報告され得る。
【０１１１】
図１３は、基地局１２２上でモードを決定するための方法１３００の一構成を示す流れ図である。より詳細には、図１３は、リファレンスサブフレーム決定モードをオプションで決定するための１つの方法１３００を示している。基地局１２２は、リファレンスサブフレーム決定モードをオプションで決定することができる（１３０２）。たとえば、基地局１２２は、ワイヤレス通信デバイス１０２がリファレンスサブフレームを決定するために使用し得るモードを決定することができる。たとえば、基地局１２２は、上記で説明したモード（たとえば、例）のうちの１つを選択し得る。次いで、基地局１２２は、オプションで、フィードバックモードインジケータを送信することができる（１３０４）。たとえば、基地局１２２は、ワイヤレス通信デバイス１０２に、使用すべき特定のリファレンスサブフレーム決定モードを指定するインジケータを送信することができる。
【０１１２】
基地局１２２は、リファレンス信号を送信することができる（１３０６）。たとえば、基地局１２２は、共通リファレンス信号（ＣＲＳ）および／またはチャネル状態情報リファレンス信号（ＣＳＩ−ＲＳ）などの１つまたは複数のリファレンス信号を送信することができる。基地局１２２は、フィードバック（たとえば、フィードバック報告１１８）を受信することができる（１３０８）。たとえば、基地局１２２は、ワイヤレス通信デバイス１０２からＣＱＩ、ＰＭＩおよび／またはＲＩを受信することができる。
【０１１３】
図１４は、リファレンスサブフレームを決定するためのシステムおよび方法が実装され得る、ワイヤレス通信デバイス１４０２の一構成を示すブロック図である。ワイヤレス通信デバイス１４０２は、上記で説明したワイヤレス通信デバイス１０２の一例であり得る。ワイヤレス通信デバイス１４０２は、アプリケーションプロセッサ１４５０を含み得る。アプリケーションプロセッサ１４５０は、概して、ワイヤレス通信デバイス１４０２上で機能を実行するようにとの命令を処理する（たとえば、プログラムを実行する）。アプリケーションプロセッサ１４５０は、オーディオコーダ／デコーダ（コーデック）１４４８に結合され得る。
【０１１４】
オーディオコーデック１４４８は、オーディオ信号をコーディングおよび／または復号するために使用される電子デバイス（たとえば、集積回路）であり得る。オーディオコーデック１４４８は、１つまたは複数のスピーカー１４４０、イヤピース１４４２、出力ジャック１４４４および／または１つまたは複数のマイクロフォン１４４６に結合され得る。スピーカー１４４０は、電気または電子信号を音響信号に変換する１つまたは複数の電気音響トランスデューサを含み得る。たとえば、スピーカー１４４０は、音楽を再生するか、またはスピーカーフォン会話などを出力するために使用され得る。イヤピース１４４２は、音響信号（たとえば、音声信号）をユーザに出力するために使用され得る別のスピーカーまたは電気音響トランスデューサであり得る。たとえば、イヤピース１４４２は、ユーザのみが音響信号を確実に聴くことができるように使用され得る。出力ジャック１４４４は、ヘッドフォンなど、オーディオを出力するためのワイヤレス通信デバイス１４０２に他のデバイスを結合するために使用され得る。スピーカー１４４０、イヤピース１４４２および／または出力ジャック１４４４は、概して、オーディオコーデック１４４８からオーディオ信号を出力するために使用され得る。１つまたは複数のマイクロフォン１４４６は、音響信号（ユーザの声など）を、オーディオコーデック１４４８に与えられる電気または電子信号に変換する１つまたは複数の音響電気トランスデューサであり得る。
【０１１５】
アプリケーションプロセッサ１４５０はまた、電力管理回路１４５６に結合され得る。電力管理回路１４５６の一例は電力管理集積回路（ＰＭＩＣ）であり、それは、ワイヤレス通信デバイス１４０２の電力消費を管理するために使用され得る。電力管理回路１４５６は、バッテリー１４５８に結合され得る。バッテリー１４５８は、概して、ワイヤレス通信デバイス１４０２に電力を提供することができる。
【０１１６】
アプリケーションプロセッサ１４５０は、入力を受信するための１つまたは複数の入力デバイス１４６０に結合され得る。入力デバイス１４６０の例には、赤外線センサー、画像センサー、加速度計、タッチセンサー、キーパッドなどがある。入力デバイス１４６０は、ワイヤレス通信デバイス１４０２とのユーザインタラクションを可能にし得る。アプリケーションプロセッサ１４５０はまた、１つまたは複数の出力デバイス１４６２に結合され得る。出力デバイス１４６２の例には、プリンタ、プロジェクタ、スクリーン、触覚デバイスなどがある。出力デバイス１４６２は、ワイヤレス通信デバイス１４０２が、ユーザによって経験され得る出力を生成することを可能にし得る。
【０１１７】
アプリケーションプロセッサ１４５０は、アプリケーションメモリ１４６４に結合され得る。アプリケーションメモリ１４６４は、電子情報を記憶することが可能な任意の電子デバイスであり得る。アプリケーションメモリ１４６４の例には、ダブルデータレートシンクロナスダイナミックランダムアクセスメモリ（ＤＤＲＡＭ）、シンクロナスダイナミックランダムアクセスメモリ（ＳＤＲＡＭ）、フラッシュメモリなどがある。アプリケーションメモリ１４６４は、アプリケーションプロセッサ１４５０にストレージを提供し得る。たとえば、アプリケーションメモリ１４６４は、アプリケーションプロセッサ１４５０上で実行されるプログラムの機能のためのデータおよび／または命令を記憶し得る。
【０１１８】
アプリケーションプロセッサ１４５０は、ディスプレイコントローラ１４６６に結合されることができ、ディスプレイコントローラ１４６６は、ディスプレイ１４６８に結合されることができる。ディスプレイコントローラ１４６６は、ディスプレイ１４６８上に画像を生成するために使用されるハードウェアブロックであり得る。たとえば、ディスプレイコントローラ１４６６は、アプリケーションプロセッサ１４５０からの命令および／またはデータを、ディスプレイ１４６８上に提示され得る画像に変換することができる。ディスプレイ１４６８の例には、液晶ディスプレイ（ＬＣＤ）パネル、発光ダイオード（ＬＥＤ）パネル、陰極線管（ＣＲＴ）ディスプレイ、プラズマディスプレイなどがある。
【０１１９】
アプリケーションプロセッサ１４５０は、ベースバンドプロセッサ１４５２に結合され得る。ベースバンドプロセッサ１４５２は、概して、通信信号を処理する。たとえば、ベースバンドプロセッサ１４５２は、受信した信号を復調および／または復号することができる。追加的にまたは代替的に、ベースバンドプロセッサ１４５２は、送信に備えて信号を符号化および／または変調することができる。
【０１２０】
ベースバンドプロセッサ１４５２は、リファレンスサブフレーム決定モジュール１４０６を含み得る。図１４に示したリファレンスサブフレーム決定モジュール１４０６は、図１に示したリファレンスサブフレーム決定モジュール１０６の一例であり得る。リファレンスサブフレーム決定モジュール１４０６は、上記で説明した方法３００、４００、５００、６００、７００、８００、９００、１０００、１１００、１２００、１３００のうちの１つまたは複数を実行するように構成され得る。
【０１２１】
ベースバンドプロセッサ１４５２は、ベースバンドメモリ１４７０に結合され得る。ベースバンドメモリ１４７０は、ＳＤＲＡＭ、ＤＤＲＡＭ、フラッシュメモリなど、電子情報を記憶することが可能な任意の電子デバイスであり得る。ベースバンドプロセッサ１４５２は、ベースバンドメモリ１４７０から情報（たとえば、命令および／またはデータ）を読み取り、および／またはベースバンドメモリ１４７０に情報を書き込むことができる。追加的にまたは代替的に、ベースバンドプロセッサ１４５２は、通信操作を実行するために、ベースバンドメモリ１４７０に記憶された命令および／またはデータを使用することができる。
【０１２２】
ベースバンドプロセッサ１４５２は、無線周波数（ＲＦ）トランシーバ１４１２に結合され得る。ＲＦトランシーバ１４１２は、電力増幅器１４５４と１つまたは複数のアンテナ１４１４とに結合され得る。ＲＦトランシーバ１４１２は、無線周波信号を送信および／または受信することができる。たとえば、ＲＦトランシーバ１４１２は、電力増幅器１４５４と１つまたは複数のアンテナ１４１４とを使用してＲＦ信号を送信することができる。ＲＦトランシーバ１４１２はまた、１つまたは複数のアンテナ１４１４を使用してＲＦ信号を受信することができる。
【０１２３】
図１５は、ワイヤレス通信デバイス１５０２内に含まれ得るいくつかのコンポーネントを示す。上記で説明したワイヤレス通信デバイス１０２、１４０２のうちの１つまたは複数は、図１５に示すワイヤレス通信デバイス１５０２と同様に構成され得る。ワイヤレス通信デバイス１５０２はプロセッサ１５８８を含む。プロセッサ１５８８は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１５８８は中央処理ユニット（ＣＰＵ）と呼ばれることがある。図１５のワイヤレス通信デバイス１５０２には単一のプロセッサ１５８８のみが示されているが、代替的な構成では、プロセッサ（たとえば、ＡＲＭとＤＳＰ）の組合せが使用され得る。
【０１２４】
ワイヤレス通信デバイス１５０２はまた、プロセッサ１５８８と電子通信しているメモリ１５７２を含む（すなわち、プロセッサ１５８８は、メモリ１５７２から情報を読み取り、および／またはメモリ１５７２に情報を書き込むことができる）。メモリ１５７２は、電子情報を記憶することが可能な任意の電子コンポーネントであり得る。メモリ１５７２は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【０１２５】
データ１５７４ａおよび命令１５７６ａがメモリ１５７２に記憶され得る。命令１５７６ａは、１つまたは複数のプログラム、ルーチン、サブルーチン、関数、プロシージャなどを含み得る。命令１５７６ａは、単一のコンピュータ可読ステートメントまたは多くのコンピュータ可読ステートメントを含み得る。命令１５７６ａは、上記で説明した方法のうちの１つまたは複数を実装するために、プロセッサ１５８８によって実行可能であり得る。命令１５７６ａを実行することは、メモリ１５７２に記憶されたデータ１５７４ａの使用を含み得る。図１５は、いくつかの命令１５７６ｂおよびデータ１５７４ｂがプロセッサ１５８８にロードされている様子を示す。
【０１２６】
ワイヤレス通信デバイス１５０２はまた、ワイヤレス通信デバイス１５０２と遠隔ロケーション（たとえば、基地局または他のワイヤレス通信デバイス）との間の信号の送信および受信を可能にするために、送信機１５８４と受信機１５８６とを含み得る。送信機１５８４および受信機１５８６は、まとめてトランシーバ１５８２と呼ばれ得る。アンテナ１５８０はトランシーバ１５８２に電気的に結合され得る。ワイヤレス通信デバイス１５０２はまた、複数の送信機、複数の受信機、複数のトランシーバおよび／または複数のアンテナを含み得る（図示せず）。
【０１２７】
ワイヤレス通信デバイス１５０２の様々なコンポーネントは、パワーバス、制御信号バス、ステータス信号バス、データバスなどを含み得る、１つまたは複数のバスによって結合され得る。簡単のために、図１５では様々なバスがバスシステム１５７８として示されている。
【０１２８】
図１６は、基地局１６２２内に含まれ得るいくつかのコンポーネントを示す。上記で説明した基地局１２２は、図１６に示す基地局１６２２と同様に構成され得る。基地局１６２２はプロセッサ１６０７を含む。プロセッサ１６０７は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１６０７は中央処理ユニット（ＣＰＵ）と呼ばれることがある。図１６の基地局１６２２には単一のプロセッサ１６０７のみが示されているが、代替的な構成では、プロセッサ（たとえば、ＡＲＭとＤＳＰ）の組合せが使用され得る。
【０１２９】
基地局１６２２はまた、プロセッサ１６０７と電子通信しているメモリ１６９０を含む（すなわち、プロセッサ１６０７は、メモリ１６９０から情報を読み取り、および／またはメモリ１６９０に情報を書き込むことができる）。メモリ１６９０は、電子情報を記憶することが可能な任意の電子コンポーネントであり得る。メモリ１６９０は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【０１３０】
データ１６９２ａおよび命令１６９４ａがメモリ１６９０に記憶され得る。命令１６９４ａは、１つまたは複数のプログラム、ルーチン、サブルーチン、関数、プロシージャなどを含み得る。命令１６９４ａは、単一のコンピュータ可読ステートメントまたは多くのコンピュータ可読ステートメントを含み得る。命令１６９４ａは、プロセッサ１６０７によって実行可能であり得る。命令１６９４ａを実行することは、メモリ１６９０に記憶されたデータ１６９２ａの使用を含み得る。図１６は、いくつかの命令１６９４ｂおよびデータ１６９２ｂがプロセッサ１６０７にロードされている様子を示す。
【０１３１】
基地局１６２２はまた、基地局１６２２と遠隔ロケーション（たとえば、ワイヤレス通信デバイス）との間の信号の送信および受信を可能にするために、送信機１６０１と受信機１６０３とを含み得る。送信機１６０１および受信機１６０３は、まとめてトランシーバ１６９８と呼ばれ得る。アンテナ１６９６はトランシーバ１６９８に電気的に結合され得る。基地局１６２２はまた、複数の送信機、複数の受信機、複数のトランシーバおよび／または複数のアンテナ（図示せず）を含み得る。
【０１３２】
基地局１６２２の様々なコンポーネントは、パワーバス、制御信号バス、ステータス信号バス、データバスなどを含み得る、１つまたは複数のバスによって結合され得る。簡単のために、図１６では様々なバスがバスシステム１６０５として示されている。
【０１３３】
以上の説明では、様々な用語とともに参照番号を時々使用した。用語が参照番号とともに使用されている場合、これは、１つまたは複数の図に示された特定の要素を指すことが意図されていることがある。用語が参照番号なしに使用されている場合、これは、概して、特定の図に限定されない用語を指すことが意図されていることがある。
【０１３４】
「決定すること」という用語は、多種多様な動作を包含し、したがって、「決定すること」は、計算すること、算出すること、処理すること、導出すること、調査すること、探索すること（たとえば、テーブル、データベースまたは別のデータ構造を探索すること）、確認することなどを含むことができる。また、「決定すること」は、受信すること（たとえば、情報を受信すること）、アクセスすること（たとえば、メモリ中のデータにアクセスすること）などを含むことができる。また、「決定すること」は、解決すること、選択すること、選出すること、確立することなどを含み得る。
【０１３５】
「基づいて」という表現は、別段に明示されていない限り、「のみに基づいて」を意味しない。言い換えれば、「基づいて」という表現は、「のみに基づいて」と「に少なくとも基づいて」の両方を表す。
【０１３６】
本明細書で説明した機能は、１つまたは複数の命令としてプロセッサ可読またはコンピュータ可読媒体上に記憶され得る。「コンピュータ可読媒体」という用語は、コンピュータまたはプロセッサによってアクセスされ得る任意の利用可能な媒体を指す。限定ではなく一例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され、コンピュータによってアクセスされることのできる、任意の他の媒体を備え得る。本明細書で使用するディスク（disk）およびディスク（disc）には、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）が含まれ、ここで、ディスク（disk）は、通常、データを磁気的に再生し、ディスク（disc）は、データをレーザで光学的に再生する。コンピュータ可読媒体は有形かつ非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指し得る。
【０１３７】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１３８】
本明細書で開示する方法は、説明した方法を達成するための１つまたは複数のステップまたはアクションを備える。方法のステップおよび／またはアクションは、特許請求の範囲の範囲から逸脱することなく互いに交換され得る。言い換えれば、本明細書で説明する方法の適切な動作のためにステップまたはアクションの特定の順序が必要とされない限り、特定のステップおよび／またはアクションの順序および／または使用は、特許請求の範囲の範囲を逸脱することなく修正され得る。
【０１３９】
特許請求の範囲は、上記に示した精密な構成およびコンポーネントに限定されないことを理解されたい。特許請求の範囲から逸脱することなく、本明細書で説明したシステム、方法、および装置の配置、動作および詳細に、様々な修正、変更および変形を行うことができる。
【図１】
2013541297.tif 000004
【図２】
2013541297.tif 000005
【図３】
2013541297.tif 000006
【図４】
2013541297.tif 000007
【図５】
2013541297.tif 000008
【図６】
2013541297.tif 000009
【図７】
2013541297.tif 000010
【図８】
2013541297.tif 000011
【図９】
2013541297.tif 000012
【図１０】
2013541297.tif 000013
【図１１】
2013541297.tif 000014
【図１２】
2013541297.tif 000015
【図１３】
2013541297.tif 000016
【図１４】
2013541297.tif 000017
【図１５】
2013541297.tif 000018
【図１６】
2013541297.tif 000019
【国際調査報告】
2013541297.tif 000020
2013541297.tif 000021
2013541297.tif 000022
2013541297.tif 000023